(57)【特許請求の範囲】
【請求項１】
発光面を有した面光源装置において、
出光面と、第１方向に対向して配置された一対の入光面と、を有する導光板と、
前記導光板の第１方向における前記一側に位置する第１の入光面に対向して配置された第１光源と、
前記導光板の第１方向における前記他側に位置する第２の入光面に対向して配置された第２光源と、を備え、
正面方向を０°として、正面方向から前記第１方向における一側に向けて傾斜した場合の角度が負の値となり、正面方向から前記第１方向における他側に向けて傾斜した場合の角度が正の値となるように定義して、前記発光面上の前記第１方向に沿った各位置で、前記正面方向および前記第１方向を含む面内での輝度の角度分布を測定した場合、
前記発光面の前記第１方向における一側端部となる第１端部位置での輝度の角度分布における最高輝度をもたらすピーク角度θａ、前記発光面の前記第１方向における他側端部となる第２端部位置での輝度の角度分布における最高輝度をもたらすピーク角度θｂ、および、前記発光面の前記第１方向における中央となる中央位置での輝度の角度分布における最高輝度をもたらすピーク角度θｃが、
θｂ＜θｃ＜θａ
となり、
前記発光面上の前記中央位置での前記第１光源で発光された第１光成分に起因した輝度の角度分布における最高輝度をもたらすピーク角度θｃ１は、正の値をとり、
前記発光面上の前記中央位置での前記第２光源で発光された第２光成分に起因した輝度の角度分布における最高輝度をもたらすピーク角度θｃ２は、負の値をとり、
前記発光面上の前記第１端部位置での前記第１光源で発光された第１光成分に起因した輝度の角度分布における最高輝度は、前記発光面上の前記中央位置での前記第１光源で発光された第１光成分に起因した輝度の角度分布における最高輝度よりも高く、前記発光面上の前記中央位置での前記第１光源で発光された第１光成分に起因した輝度の角度分布における最高輝度は、前記発光面上の前記第２端部位置での前記第１光源で発光された第１光成分に起因した輝度の角度分布における最高輝度よりも高く、
前記発光面上の前記第２端部位置での前記第２光源で発光された第２光成分に起因した輝度の角度分布における最高輝度は、前記発光面上の前記中央位置での前記第２光源で発光された第２光成分に起因した輝度の角度分布における最高輝度よりも高く、前記発光面上の前記中央位置での前記第２光源で発光された第２光成分に起因した輝度の角度分布における最高輝度は、前記発光面上の前記第１端部位置での前記第２光源で発光された第２光成分に起因した輝度の角度分布における最高輝度よりも高い、面光源装置。
【請求項２】
前記ピーク角度θｃ１は、５°以上１５°以下である、請求項１に記載の面光源装置。
【請求項３】
前記ピーク角度θｃ２は、−１５°以上−５°以下である、請求項１又は２に記載の面光源装置。
【請求項４】
前記導光板の出光側に配置された光制御シートを、さらに備え、
前記光制御シートは、シート状の本体部と、前記本体部の出光側面上に前記第１方向に沿って配列され、各々が前記第１方向と交差する方向に延びる、複数の単位光学要素と、を有し、
前記本体部への法線方向と前記配列方向との両方向に平行に断面において、前記単位光学要素の幅Ｗｂに対する前記単位光学要素の高さＨｂの比（Ｈｂ／Ｗｂ）が、０．５５以上０．８５以下であり、
正面方向を０°として、正面方向から前記第１方向における一側に向けて傾斜した場合の角度が負の値となり、正面方向から前記第１方向における他側に向けて傾斜した場合の角度が正の値となるように定義して、前記正面方向および前記第１方向を含む面内での輝度の角度分布を、前記導光板の前記出光面上のうちの第１方向における中央となる中央位置で測定した場合に、第１光源で発光された第１光成分に起因した前記導光板の前記出光面上での輝度の角度分布における最高輝度をもたらすピーク角度が、６５°以上７５°以下であり、第２光源で発光された第２光成分に起因した前記導光板の前記出光面上での輝度の角度分布における最高輝度をもたらすピーク角度が、−７５°以上−６５°以下である、請求項１〜３のいずれか一項に記載の面光源装置。
【請求項５】
前記導光板の出光側に配置された光制御シートを、さらに備え、
前記光制御シートは、シート状の本体部と、前記本体部の入光側面上に前記第１方向に沿って配列され、各々が前記第１方向と交差する方向に延びる、複数の単位光学要素と、を有し、
前記本体部への法線方向と前記配列方向との両方向に平行に断面において、前記単位光学要素の幅Ｗｃに対する前記単位光学要素の高さＨｃの比（Ｈｃ／Ｗｃ）が、０．５５以上０．７２以下であり、
正面方向を０°として、正面方向から前記第１方向における一側に向けて傾斜した場合の角度が負の値となり、正面方向から前記第１方向における他側に向けて傾斜した場合の角度が正の値となるように定義して、前記正面方向および前記第１方向を含む面内での輝度の角度分布を、前記導光板の前記出光面上のうちの第１方向における中央となる中央位置で測定した場合に、第１光源で発光された第１光成分に起因した前記導光板の前記出光面上での輝度の角度分布における最高輝度をもたらすピーク角度が、６５°以上８０°以下であり、第２光源で発光された第２光成分に起因した前記導光板の前記出光面上での輝度の角度分布における最高輝度をもたらすピーク角度が、−８０°以上−６５°以下である、請求項１〜３のいずれか一項に記載の面光源装置。
【請求項６】
前記ピーク角度θａおよび前記ピーク角度θｂが、
１／１２≦ｔａｎ（θａ）≦１／３
−１／３≦ｔａｎ（θｂ）≦−１／１２
を満たす、請求項１〜５のいずれか一項に記載の面光源装置。
【請求項７】
前記発光面上の前記第１端部位置での輝度の角度分布における最高輝度値ＰＬＶａおよび前記発光面上の前記第１端部位置での輝度の角度分布における正面方向での輝度値ＦＬＶａ、並びに、前記発光面上の前記第２端部位置での輝度の角度分布における最高輝度値ＰＬＶｂおよび前記発光面上の前記第２端部位置での輝度の角度分布における正面方向での輝度値ＦＬＶｂが、
０．６≦（ＦＬＶａ／ＰＬＶａ）＜１
０．６≦（ＦＬＶｂ／ＰＬＶｂ）＜１
を満たす、請求項１〜６のいずれか一項に記載の面光源装置。
【請求項８】
前記導光板はシート状の基部を有しており、
前記基部は、樹脂からなる主部と、前記主部中に分散された拡散成分と、を含む、請求項１〜７のいずれか一項に記載の面光源装置。
【請求項９】
前記導光板は、シート状の基部と、前記第１方向と交差する配列方向に沿って前記基部の発光面側の面上に配列され、各々がその配列方向と交差する方向に線状に延びる、複数の単位プリズムと、を有する、請求項１〜８のいずれか一項に記載の面光源装置。
【請求項１０】
請求項１〜９のいずれか一項に記載の面光源装置と、
前記面光源装置の出光側に配置された液晶表示パネルと、を備える、液晶表示装置。
【請求項１１】
前記面光源装置は、前記導光板の前記入光面に沿って配列された複数の点状発光体を含む光源を、さらに有し、
前記液晶表示装置は、前記光源の前記点状発光体の出力を制御する制御装置を、さらに備え、
前記制御装置は、表示されるべき映像に応じて各点状発光体の出力を調節するように構成されている、請求項１０に記載の液晶表示装置。
【発明の詳細な説明】
【技術分野】
【０００１】
本発明は、発光面を有した面光源装置、および、面光源装置を含む表示装置に係り、とりわけ、感知される明るさの面内分布を効果的に均一化することができる面光源装置および表示装置に関する。
【背景技術】
【０００２】
面状に発光する発光面を有した面光源装置が、例えば液晶表示装置に組み込まれ液晶表示パネルを背面側から照明するバックライトとして、広く普及している（例えば、特許文献１）。液晶表示装置用の面光源装置は、大別すると、光学部材の直下に光源を配置する直下型と、光学部材の側方に光源を配置するエッジライト型（サイドライト型とも呼ぶ）と、に分類される。
【０００３】
エッジライト型の面光源装置では、光源が導光板の側方に設けられており、光源からの光は、導光板の側面（入光面）から導光板内に入射する。導光板へ入射した光は、導光板の対向する一対の主面において反射を繰り返し、入光面に略直交する方向（導光方向）に導光板内を進んでいく。導光板内を進む光は、導光板から光学的な作用を受け、導光板内を進むにつれて少しずつ一対の主面から出射していくようにしむけられる。具体的な導光板の構成の一例として、導光板内に拡散成分が分散され、拡散成分によって導光板内を進む光の進行方向を変化させることにより、導光方向に沿った導光板の各位置から光を少しずつ出射させていくことができる。
【０００４】
このような面光源装置には、高い正面方向輝度を確保すること、且つ、正面方向輝度の面内分布をより均一化させることが、求められてきた。すなわち、面光源装置の発光面の各位置で測定される輝度の角度分布が正面方向に最高輝度を有し且つ略同一の分布を有することが理想的とされてきた。例えば、表示装置においては、このような面光源装置を用いることによって、正面方向に映像を明るく表示することが期待されてきた。
【先行技術文献】
【特許文献】
【０００５】
【特許文献１】特開２００７−２２７４０５号公報
【発明の概要】
【発明が解決しようとする課題】
【０００６】
ところが、昨今では、省エネルギーを実現し得るとともに直進性の高いＬＥＤ等の開発にともない、エッジライト型の面光源装置の大型化が進み、大型表示面を有する表示面との組み合わせにおいても使用されるようになった。しかしながら、これまで理想的とされてきた面光源装置を用いた場合、観察者に感知される明るさの面内分布が大きくばらつくといった問題が生じている。
【０００７】
そこで本発明は、このような点を考慮してなされたものであり、感知される明るさの面内分布をより均一化することができる面光源装置および表示装置を提供することを目的とする。
【課題を解決するための手段】
【０００８】
本発明による第１の面光源装置は、
発光面を有した面光源装置であって、
出光面と、第１方向に対向して配置された一対の入光面と、を有する導光板を備え、
正面方向を０°として、正面方向から前記第１方向における一側に向けて傾斜した場合の角度が負の値となり、正面方向から前記第１方向における他側に向けて傾斜した場合の角度が正の値となるように定義して、前記発光面上の前記第１方向に沿った各位置で、前記正面方向および前記第１方向を含む面内での輝度の角度分布を測定した場合、前記発光面の前記第１方向における一側端部となる第１端部位置での輝度の角度分布における最高輝度をもたらすピーク角度θａ、前記発光面の前記第１方向における他側端部となる第２端部位置での輝度の角度分布における最高輝度をもたらすピーク角度θｂ、および、前記発光面の前記第１方向における中央となる中央位置での輝度の角度分布における最高輝度をもたらすピーク角度θｃが、
θｂ＜θｃ＜θａ
となる。
【０００９】
本発明による第１の面光源装置が、前記導光板の第１方向における前記一側に位置する第１の入光面に対向して配置された第１光源と、前記導光板の第１方向における前記他側に位置する第２の入光面に対向して配置された第２光源と、をさらに備え、
正面方向を０°として、正面方向から前記第１方向における一側に向けて傾斜した場合の角度が負の値となり、正面方向から前記第１方向における他側に向けて傾斜した場合の角度が正の値となるように定義して、前記正面方向および前記第１方向を含む面内での輝度の角度分布を前記発光面上の前記中央位置で測定した場合に、前記第１光源で発光された第１光成分に起因した輝度の角度分布における最高輝度をもたらすピーク角度θｃ１は、正の値をとるようにしてもよい。
【００１０】
本発明による第１の面光源装置において、前記ピーク角度θｃ１が５°以上１５°以下であるようにしてもよい。
【００１１】
本発明による第１の面光源装置において、正面方向を０°として、正面方向から前記第１方向における一側に向けて傾斜した場合の角度が負の値となり、正面方向から前記第１方向における他側に向けて傾斜した場合の角度が正の値となるように定義して、前記正面方向および前記第１方向を含む面内での輝度の角度分布を前記発光面上の前記中央位置で測定した場合に、前記第２光源で発光された第２光成分に起因した輝度の角度分布における最高輝度をもたらすピーク角度θｃ２は、負の値をとるようにしてもよい。
【００１２】
本発明による第１の面光源装置において、前記ピーク角度θｃ２が−１５°以上−５°以下であるようにしてもよい。
【００１３】
本発明による第１の面光源装置が、前記導光板の出光側に配置された光制御シートを、さらに備え、
前記光制御シートは、シート状の本体部と、前記本体部の出光側面上に配列方向に沿って配列され、各々が前記第１方向と交差する方向に延びる、複数の単位光学要素と、を有し、
前記本体部への法線方向と前記配列方向との両方向に平行に断面において、前記単位光学要素の幅Ｗｂに対する前記単位光学要素の高さＨｂの比（Ｈｂ／Ｗｂ）が、０．５５以上０．８５以下であり、
正面方向を０°として、正面方向から前記第１方向における一側に向けて傾斜した場合の角度が負の値となり、正面方向から前記第１方向における他側に向けて傾斜した場合の角度が正の値となるように定義して、前記正面方向および前記第１方向を含む面内での輝度の角度分布を、前記導光板の前記出光面上のうちの第１方向における中央となる中央位置で測定した場合に、第１光源で発光された第１光成分に起因した前記導光板の前記出光面上での輝度の角度分布における最高輝度をもたらすピーク角度が、６５°以上７５°以下であり、第２光源で発光された第２光成分に起因した前記導光板の前記出光面上での輝度の角度分布における最高輝度をもたらすピーク角度が、−７５°以上−６５°以下であるようにしてもよい。
【００１４】
本発明による第１の面光源装置が、前記導光板の出光側に配置された光制御シートを、さらに備え、
前記光制御シートは、シート状の本体部と、前記本体部の入光側面上に配列方向に沿って配列され、各々が前記第１方向と交差する方向に延びる、複数の単位光学要素と、を有し、
前記本体部への法線方向と前記配列方向との両方向に平行に断面において、前記単位光学要素の幅Ｗｃに対する前記単位光学要素の高さＨｃの比（Ｈｃ／Ｗｃ）が、０．５５以上０．７２以下であり、
正面方向を０°として、正面方向から前記第１方向における一側に向けて傾斜した場合の角度が負の値となり、正面方向から前記第１方向における他側に向けて傾斜した場合の角度が正の値となるように定義して、前記正面方向および前記第１方向を含む面内での輝度の角度分布を、前記導光板の前記出光面上のうちの第１方向における中央となる中央位置で測定した場合に、第１光源で発光された第１光成分に起因した前記導光板の前記出光面上での輝度の角度分布における最高輝度をもたらすピーク角度が、６５°以上８０°以下であり、第２光源で発光された第２光成分に起因した前記導光板の前記出光面上での輝度の角度分布における最高輝度をもたらすピーク角度が、−８０°以上−６５°以下であるようにしてもよい。
【００１５】
本発明による第２の面光源装置は、
発光面を有した面光源装置であって、
出光面と、第１方向に対向して配置された一対の側面と、を有する導光板を備え、
前記導光板の前記一対の側面の少なくとも一つが入光面をなし、
正面方向を０°として、正面方向から前記第１方向における一側に向けて傾斜した場合の角度が負の値となり、正面方向から前記第１方向における他側に向けて傾斜した場合の角度が正の値となるように定義して、前記発光面上の前記第１方向に沿った各位置で、前記正面方向および前記第１方向を含む面内での輝度の角度分布を測定した場合、前記発光面の前記第１方向における一側端部となる第１端部位置での輝度の角度分布における最高輝度をもたらすピーク角度θａ、前記発光面の前記第１方向における他側端部となる第２端部位置での輝度の角度分布における最高輝度をもたらすピーク角度θｂ、および、前記発光面の前記第１方向における中央となる中央位置での輝度の角度分布における最高輝度をもたらすピーク角度θｃが、
θｂ＜θｃ＜θａ
となる。
【００１６】
本発明による第２の面光源装置が、前記導光板の第１方向における前記一側に位置する側面に対向して配置された第１光源を、さらに備え、
正面方向を０°として、正面方向から前記第１方向における一側に向けて傾斜した場合の角度が負の値となり、正面方向から前記第１方向における他側に向けて傾斜した場合の角度が正の値となるように定義して、前記発光面上の前記第１方向に沿った各位置で、前記正面方向および前記第１方向を含む面内での前記第１光源で発光された第１光成分に起因した輝度の角度分布を測定した場合、前記発光面の前記第１端部位置での前記第１光成分に起因した輝度の角度分布における最高輝度をもたらすピーク角度θａ１、前記発光面の前記第２端部位置での前記第１光成分に起因した輝度の角度分布における最高輝度をもたらすピーク角度θｂ１、および、前記発光面の前記中央位置での前記第１光成分に起因した輝度の角度分布における最高輝度をもたらすピーク角度θｃ１が、
θｂ１＜θｃ１＜θａ１
となるようにしてもよい。
【００１７】
本発明による第２の面光源装置が、前記導光板の出光側に配置された光制御シートを、さらに備え、
前記光制御シートは、シート状の本体部と、前記本体部の入光側面上に前記第１方向に沿って配列され、各々が前記第１方向と交差する方向に延びる、複数の単位光学要素と、を有し、
各単位光学要素は、前記第１方向における一側に配置された一側面と、前記第１方向における前記他側に配置された他側面と、を有し、
前記複数の単位光学要素の間で、前記他側面の傾斜角度は同一ではなく、
ある一つの単位光学要素の他側面は、当該単位光学要素よりも前記第１方向において他側に位置する単位光学要素の他側面と同一の傾斜角度で正面方向から傾斜し、或いは、当該単位光学要素よりも前記第１方向において他側に位置する単位光学要素の他側面よりも正面方向から大きく傾斜していてもよい。
【００１８】
本発明による第２の面光源装置が、前記導光板の第１方向における前記他側に位置する側面に対向して配置された第２光源を、さらに備え、
正面方向を０°として、正面方向から前記第１方向における一側に向けて傾斜した場合の角度が負の値となり、正面方向から前記第１方向における他側に向けて傾斜した場合の角度が正の値となるように定義して、前記発光面上の前記第１方向に沿った各位置で、前記正面方向および前記第１方向を含む面内での前記第２光源で発光された第２光成分に起因した輝度の角度分布を測定した場合、前記発光面の前記第１端部位置での前記第２光成分に起因した輝度の角度分布における最高輝度をもたらすピーク角度θａ２、前記発光面の前記第２端部位置での前記第２光成分に起因した輝度の角度分布における最高輝度をもたらすピーク角度θｂ２、および、前記発光面の前記中央位置での前記第２光成分に起因した輝度の角度分布における最高輝度をもたらすピーク角度θｃ２が、
θｂ２＜θｃ２＜θａ２
となっていてもよい。
【００１９】
本発明による第２の面光源装置が、前記導光板の出光側に配置された光制御シートを、さらに備え、
前記光制御シートは、シート状の本体部と、前記本体部の入光側面上に前記第１方向に沿って配列され、各々が前記第１方向と交差する方向に延びる、複数の単位光学要素と、を有し、
各単位光学要素は、前記第１方向における一側に配置された一側面と、前記第１方向における他側に配置された他側面と、を有し、
前記複数の単位光学要素の間で、前記一側面の傾斜角度は同一ではなく、
前記複数の単位光学要素の間で、前記他側面の傾斜角度は同一ではなく、
ある一つの単位光学要素の一側面は、当該単位光学要素よりも前記第１方向において一側に位置する単位光学要素の一側面と同一の傾斜角度で正面方向から傾斜し、或いは、当該単位光学要素よりも前記第１方向において一側に位置する単位光学要素の一側面よりも正面方向から大きく傾斜し、
ある一つの単位光学要素の他側面は、当該単位光学要素よりも前記第１方向において他側に位置する単位光学要素の他側面と同一の傾斜角度で正面方向から傾斜し、或いは、当該単位光学要素よりも前記第１方向において他側に位置する単位光学要素の他側面よりも正面方向から大きく傾斜していてもよい。
【００２０】
本発明による第１または第２の面光源装置において、前記ピーク角度θａおよび前記ピーク角度θｂが、
１／１２≦ｔａｎ（θａ）≦１／３
−１／３≦ｔａｎ（θｂ）≦−１／１２
を満たすようにしてもよい。
【００２１】
本発明による第１または第２の面光源装置において、前記発光面上の前記第１端部位置での輝度の角度分布における最高輝度値ＰＬＶａおよび前記発光面上の前記第１端部位置での輝度の角度分布における正面方向での輝度値ＦＬＶａ、並びに、前記発光面上の前記第２端部位置での輝度の角度分布における最高輝度値ＰＬＶｂおよび前記発光面上の前記第２端部位置での輝度の角度分布における正面方向での輝度値ＦＬＶｂが、
０．６≦（ＦＬＶａ／ＰＬＶａ）＜１
０．６≦（ＦＬＶｂ／ＰＬＶｂ）＜１
を満たすようにしてもよい。
【００２２】
本発明による第１または第２の面光源装置において、前記導光板はシート状の基部を有し、前記基部は、樹脂からなる主部と、前記主部中に分散された拡散成分と、を含むようにしてもよい。
【００２３】
本発明による第１または第２の面光源装置において、前記導光板は、シート状の基部と、前記第１方向と交差する配列方向に沿って前記基部の発光面側の面上に配列され、各々がその配列方向と交差する方向に線状に延びる、複数の単位プリズムと、を有するようにしてもよい。
【００２４】
本発明による表示装置は、
上述した本発明による第１および第２の面光源装置のいずれかと、
前記面光源装置の出光側に配置された液晶表示パネルと、を備える。
【００２５】
本発明による表示装置において、
面光源装置が、前記導光板の前記入光面に沿って配列された複数の点状発光体を含む光源を、さらに有し、
本発明による表示装置が、前記光源の前記点状発光体の出力を制御する制御装置を、さらに備え、
前記制御装置は、表示されるべき映像に応じて各点状発光体の出力を調節するように構成されていてもよい。
【発明の効果】
【００２６】
本発明によれば、感知される明るさの面内分布を効果的に均一化することができる。
【図面の簡単な説明】
【００２７】
【図１】図１は、本発明による一実施の形態を説明するための図であって、表示装置および面光源装置の概略構成を示す斜視図である。
【図２】図２は、面光源装置の作用を説明するための図であって、図１のＩＩ−ＩＩ線に沿った断面において面光源装置を示す断面図である。
【図３】図３は、図１の面光源装置に組み込まれた導光板を示す斜視図である。
【図４】図４は、導光板の作用を説明するための図であって、図３のＩＶ−ＩＶ線に沿った断面において導光板を示す図である。
【図５】図５は、図１の表示装置を観察する際における、表示装置および面光源装置の作用を説明するための図である。
【図６】図６は、図１および図２の面光源装置の発光面上の第１方向（導光方向）における一側端部となる第１端部位置での輝度の角度分布を示すグラフである。
【図７】図７は、図１および図２の面光源装置の発光面上の第１方向（導光方向）における中央となる中央位置での輝度の角度分布を示すグラフである。
【図８】図８は、図１および図２の面光源装置の発光面上の第１方向（導光方向）における他側端部となる第２端部位置での輝度の角度分布を示すグラフである。
【図９】図９は、表示装置および面光源装置の一変形例を説明するための図であって、表示装置および面光源装置の一変形例の概略構成を示す断面図である。
【図１０】図１０は、図２に対応する図であって、図９と同一の断面において面光源装置を示す図である。
【図１１】図１１は、図２と同一の断面において、面光源装置の他の変形例を説明するための図である。
【図１２】図１２は、図１１の面光源装置の発光面上の第１方向（導光方向）における一側端部となる第１端部位置での輝度の角度分布を示すグラフである。
【図１３】図１３は、図１１の面光源装置の発光面上の第１方向（導光方向）における中央となる中央位置での輝度の角度分布を示すグラフである。
【図１４】図１４は、図１１の面光源装置の発光面上の第１方向（導光方向）における他側端部となる第２端部位置での輝度の角度分布を示すグラフである。
【図１５】図１５は、図２と同一の断面において、面光源装置の他の変形例を説明するための図である。
【図１６】図１６、図６に対応するグラフであって、面光源装置の発光面上での輝度の角度分布の比較例を示すグラフである。
【図１７】図１７、図７に対応するグラフであって、面光源装置の発光面上での輝度の角度分布の比較例を示すグラフである。
【図１８】図１８、図８に対応するグラフであって、面光源装置の発光面上での輝度の角度分布の比較例を示すグラフである。
【発明を実施するための形態】
【００２８】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２９】
図１〜図８は本発明による一実施の形態を説明するための図である。このうち、図１は、液晶表示装置および面光源装置の概略構成を示す斜視図であり、図２は面光源装置の作用を説明するための断面図である。図３は面光源装置に含まれた導光板を示す斜視図であり、図４は主切断面において導光板を示す断面図である。図５は、面光源装置および表示装置の観察時における作用を説明するための図である。図６〜図８は、図１の面光源装置の発光面（最出光側面のうちの有効領域）上の各位置で測定された輝度の角度分布を示すグラフである。
【００３０】
図１に示すように、表示装置１０は、液晶表示パネル１５と、液晶表示パネル１５の背面側に配置され液晶表示パネル１５を背面側から面状に照らす面光源装置２０と、液晶表示パネル１５および面光源装置２０を制御する制御装置１８と、を備えている。表示装置１０は、筐体等によって覆われることなく有効に画像を表示し得る有効画面（有効領域）としての表示面（図１において一点鎖線で囲まれた領域）１１を有している。液晶表示パネル１５は、面光源装置２０からの光の透過または遮断を画素毎に制御するシャッターとして機能し、表示面１１に像を表示するように構成されている。
【００３１】
図示された液晶表示パネル１５は、出光側に配置された上偏光板１３と、入光側に配置された下偏光板１４と、上偏光板１３と下偏光板１４との間に配置された液晶セル１２と、を有している。偏光板１４，１３は、入射した光を直交する二つの偏光成分（Ｐ波およびＳ波）に分解し、一方の方向（透過軸と平行な方向）の偏光成分（例えば、Ｐ波）を透過させ、前記一方の方向に直交する他方の方向（吸収軸と平行な方向）の偏光成分（例えば、Ｓ波）を吸収する機能を有している。
【００３２】
液晶層１２には、一つの画素を形成する領域毎に、電界印加がなされ得るようになっている。そして、電界印加された液晶層１２の配向は変化するようになる。一例として、入光側に配置された下偏光板１４を透過した特定方向の偏光成分は、電界印加された液晶層１２を通過する際にその偏光方向を９０°回転させ、その一方で、電界印加されていない液晶層１２を通過する際にその偏光方向を維持する。この場合、液晶層１２への電界印加の有無によって、下偏光板１４を透過した特定方向の偏光成分が、下偏光板１４の出光側に配置された上偏光板１３をさらに透過するか、あるいは、上偏光板１３で吸収されて遮断されるか、を制御することができる。
【００３３】
このようにして液晶パネル（液晶表示部）１５では、面光源装置２０からの光の透過または遮断を画素毎に制御し得るようになっている。なお、液晶表示パネル１５の詳細については、種々の公知文献（例えば、「フラットパネルディスプレイ大辞典（内田龍男、内池平樹監修）」２００１年工業調査会発行）に記載されており、ここではこれ以上の詳細な説明を省略する。
【００３４】
次に、面光源装置２０について説明する。面光源装置２０は、面状に光を発光する発光面（図１において一点鎖線で囲まれた領域）２１を有し、本実施の形態では、液晶表示パネル１５を背面側から照明する装置として用いられている。なお、ここでいう発光面２１とは、筐体等で覆われることなく且つ用途に応じて有効に光が発光され得る面、すなわち、面光源装置２０の最出光側面のうちの有効領域のことである。したがって、本実施の形態のように、面光源装置２０が液晶表示パネル１５を背面側から照明するバックライトして用いられて表示装置１０を構成する場合、発光面２１は、面光源装置２０の最出光側面のうちの、表示装置１０の表示面１１なす領域に直面（正面方向ｎｄに沿って対面）するようになる領域を意味する。
【００３５】
図１に示すように、面光源装置２０は、エッジライト型の面光源装置として構成され、導光板３０と、導光板３０の側方に配置された光源２４ａ，２４ｂと、導光板３０にそれぞれ対向して配置された光制御シート６０および反射シート２８と、液晶表示パネルに直面して配置された光拡散シート８０と、を有している。そして、光拡散シート８０の出光側面のうちの表示面１１をなす領域に直面する領域によって、発光面２１が画成されている。
【００３６】
図示する例において、導光板３０の出光面３１は、液晶表示装置１０の表示面１１および面光源装置２０の発光面２１と同様に、四角形形状に形成されている。この結果、導光板３０は、全体的に、一対の主面（出光面３１および裏面３２）を有する四角形板状の部材として構成されており、一対の主面間に画成される側面は四つの面を含んでいる。同様に、光制御シート６０、反射シート２８および光拡散シート８０は、全体的に、四角形板状の部材として構成されている。また、本実施の形態における導光板３０は、第１方向に沿った各位置において、一定の断面形状を有するようになっている。
【００３７】
導光板３０は、液晶表示パネル１５側の主面によって構成された出光面３１と、出光面３１に対向するもう一方の主面からなる裏面３２と、出光面３１および裏面３２の間を延びる側面と、を有している。側面のうちの第１方向に対向する二つの面が、入光面３３，３４をなしている。言い換えると、上述した一つの入光面が第１入光面３３として機能し、この一つの入光面に対して第１方向に対向する反対面が第２入光面３４として機能するようになっている。図１に示すように、第１入光面３３に対向して第１光源２４ａが設けられ、第２入光面３４に対向して第２光源２４ｂが設けられている。一方の入光面（例えば第１入光面３３）から導光板３０に入射した光は、概ね、当該一方の入光面（例えば第１入光面３３）と、当該一方の入光面に対向する他方の入光面（第２入光面３４）と、を結ぶ第１方向（導光方向）に沿って導光板３０内を導光されるようになる。
【００３８】
そして、導光板３０の出光面３１に対向して光制御シート６０が配置され、導光板３０の裏面３２に対向して反射シート２８が配置されている。また、光拡散シート８０が、光制御シート６０の出光側に配置されている。
【００３９】
第１光源２４ａおよび第２光源２４ｂは、例えば、線状の冷陰極管等の蛍光灯や、点状のＬＥＤ（発光ダイオード）や白熱電球等の種々の態様で構成され得る。本実施の形態において、第１光源２４ａおよび第２光源２４ｂの各々は、対応する入光面３３，３４の長手方向に沿って、並べて配置された多数の点状発光体２５、具体的には、多数の発光ダイオード（ＬＥＤ）によって、構成されている。なお、図３には、第１光源２４ａをなす多数の点状発光体２５の配置位置が示されている。制御装置１８は、各点状発光体２５の出力、すなわち、各点状発光体２５の点灯および消灯、及び／又は、各点状発光体２５の点灯時の明るさを、他の点状発光体の出力から独立して調節し得るように構成されている。
【００４０】
反射シート２８は、導光板３０の裏面３２から出射した光を反射して、再び導光板３０内に入射させるための部材である。反射シート２８は、白色の散乱反射シート、金属等の高い反射率を有する材料からなるシート、高い反射率を有する材料からなる薄膜（例えば金属薄膜）を表面層として含んだシート等から、構成され得る。この反射シート２８は、導光板３０の裏面３２から漏れ出す光を、反射によって出光側に戻すために設けられている。
【００４１】
光拡散シート８０は、光を拡散させる機能を有したシート状の部材であり、光制御シート６０によって後述するように光軸を補正された光をある程度拡散させ、視野角を調節したり、輝度の角度分布の変化を滑らかにする。このような光拡散シート８０としては、拡散成分を分散された樹脂シートを用いることができる。例えば、拡散成分が樹脂とは異なる屈折率を有することにより、或いは、拡散成分自体が高い反射性を有した材料からなることにより、この樹脂シートからなる光拡散シート８０に光拡散機能が付与され得る。
【００４２】
ところで、本明細書において、「出光側」とは、進行方向を折り返されることなく光源２４ａ，２４ｂから導光板３０や光制御シート６０等を経て観察者へ向かう光の進行方向における下流側（観察者側、例えば図１における紙面の上側）のことであり、「入光側」とは、進行方向を折り返されることなく光源２４ａ，２４ｂの発光体２５から導光板および光制御シート６０等を経て観察者へ向かう光の進行方向における上流側のことである。
【００４３】
また、本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。
【００４４】
さらに、本明細書において「シート面（板面、フィルム面）」とは、対象となるシート状の部材を全体的かつ大局的に見た場合において対象となるシート状部材の平面方向と一致する面のことを指す。そして、本実施の形態においては、導光板３０の板面、光制御シート６０のシート面、光拡散シート８０のシート面、反射シート２８のシート面、液晶表示パネルのパネル面、表示装置１０の表示面１１、および、面光源装置２０の発光面２１は、互いに平行となっている。さらに、本明細書において「正面方向」とは、面光源装置２０の発光面２１への法線方向ｎｄであり、本実施の形態においては、導光板３０の板面への法線方向、光制御シート６０のシート面への法線方向、光拡散シート８０のシート面への法線方向、表示装置１０の表示面１１への法線方向等にも一致する（例えば、図２参照）。
【００４５】
次に、図２〜図４を主に参照して、導光板３０についてさらに詳述する。図２〜図４によく示されているように、導光板３０は、板状に形成された基部４０と、基部４０の一側の面（観察者側を向く面、出光側面）４１上に形成された複数の単位プリズム５０と、を有している。基部４０は、一対の平行な主面を有する平板状の部材として構成されている。そして、反射シート２８に対面している側に位置する基部４０の他側の面４２によって、導光板３０の裏面３２が構成されている。
【００４６】
なお、本明細書における「単位光学要素」、「単位形状要素」、「単位プリズム」および「単位レンズ」とは、屈折や反射等の光学的作用を光に及ぼして、当該光の進行方向を変化させる機能を有した要素のことを指し、呼称の違いのみに基づいて、互いから区別されるものではない。
【００４７】
図２に示すように、基部４０は、樹脂からなる主部４４と、主部４４中に分散された拡散成分４５と、を有している。ここでいう拡散成分４５とは、基部４０内を進む光に対し、反射や屈折等によって、当該光の進路方向を変化させる作用を及ぼし得る成分のことである。このような拡散成分４５の光拡散機能（光散乱機能）は、例えば、主部４４をなす材料とは異なる屈折率を有した材料から拡散成分４５を構成することにより、あるいは、光に対して反射作用を及ぼし得る材料から拡散成分４５を構成することにより、付与され得る。主部４４をなす材料とは異なる屈折率を有する拡散成分４５として、金属化合物、気体を含有した多孔質物質、さらには、単なる気泡が例示される。なお、図２以外の図においては、拡散成分４５を省略している。
【００４８】
次に、基部４０の一側の面４１上に設けられた単位プリズム５０について説明する。図３によく示されているように、複数の単位プリズム５０は、第１方向に交差し且つ基部４０の一側の面４１と平行な配列方向に並べられて、基部４０の一側の面４１上に、配列されている。各単位プリズム５０は、基部４０の一側の面４１上を、その配列方向と交差する方向に線状に延びている。
【００４９】
とりわけ本実施の形態において、複数の単位プリズム５０は、基部４０の一側の面４１上に、第１方向と直交する第２方向（配列方向）に隙間無く並べて配列されている。したがって、導光板３０の出光面３１は、単位プリズム５０の表面によってなされる傾斜面３７，３８として、構成されている。また、各単位プリズム５０は、配列方向と直交する第１方向に沿って、直線状に延びている。さらに、各単位プリズム５０は、柱状に形成され、その長手方向に沿って同一の断面形状を有するようになっている。また、本実施の形態において、複数の単位プリズム５０は、互いに同一に構成されている。この結果、本実施の形態における導光板３０は、第１方向に沿った各位置において、一定の断面形状を有するようになっている。
【００５０】
図３に示す断面、つまり、単位プリズム５０の配列方向（第２方向）および基部４０の一側の面４１（導光板３０の板面）への法線方向ｎｄの両方向に平行な断面（以下においては、単に、導光板に関する「主切断面」とも呼ぶ）において、各単位プリズム５０は、基部４０の一側の面４１上に一辺が位置する三角形形状、又は、この三角形形状の基部４０から突出した頂角が面取りされてなる形状を有している。図示する例において、各単位プリズム５０の主切断面における断面形状は、基部４０から突出する三角形の頂角５６を面取りした形状となっている（図４参照）。
【００５１】
また、図４に示す例においては、正面方向輝度を効果的に上昇させること、および、第２方向に沿った面内での輝度の角度分布に対称性を付与することを目的として、導光板の主切断面における単位プリズム５０の断面形状は、正面方向ｎｄを中心として、対称性を有している。したがって、主切断面における断面三角形形状の二つの底角θ１ａ，θ１ｂ（図４参照）は互いに等しい角度となっている。
【００５２】
なお、本件明細書における「三角形形状」とは、厳密な意味での三角形形状のみでなく、製造技術における限界や成型時の誤差等を含む略三角形形状を含む。また同様に、本明細書において用いる、その他の形状や幾何学的条件を特定する用語、例えば、「平行」、「直交」、「楕円」、「円」等の用語も、厳密な意味に縛られることなく、同様の光学的機能を期待し得る程度の誤差を含めて解釈することとする。
【００５３】
以上のような構成を有した導光板３０の寸法は、一例として、以下のように設定され得る。まず、単位プリズム５０の具体例として、導光板３０の板面に沿った幅Ｗａ（図４参照）を５μｍ以上５００μｍ以下とすることができ、導光板３０の板面への法線方向ｎｄに沿った単位プリズム５０の基部４０の一側の面４１からの高さＨａを１μｍ以上２５０μｍ以下とすることができる。また、単位プリズム５０の断面形状が三角形形状または三角形形状の頂角を面取りしてなる形状からなる場合には、当該頂角５６の角度θ２（図４参照）を９０°以上１４５°以下とすることができる。単位プリズム５０の断面形状が三角形形状の頂角５６を面取りしてなる形状となっている場合、主切断面において、単位プリズム５０の頂部５２は、曲率半径の値が単位プリズム５０の幅Ｗａの値以下となっている曲線として、形成されていることが好ましい。一方、基部４０の厚みは、０．５ｍｍ〜６ｍｍとすることができる。
【００５４】
なお、既に説明したように、本実施の形態における導光板３０の主切断面における断面形状は、第１方向に沿った各位置において、一定となっている。第１光源２４ａの発光体２５で発光されて導光板内に入射した第１光成分の出光面３１から出射する出射光量は、第１方向（導光方向）に沿った各位置において変化する。具体的には、第１光成分の導光板３０への入射面となる第１入光面３３から離間した領域において、第１光成分の出射光量が大きく低下するようになる。その一方で、正面方向ｎｄおよび第１方向（導光方向）を含む面内（すなわち、導光板の主切断面と平行な面内）での第１光成分の輝度の角度分布は、第１方向に沿った各位置において、略同一の分布形状を呈するようになる。そして、例示した導光板３０の寸法および形状によれば、正面方向ｎｄから第１方向における第１入光面３３の側（一側）に向けて傾斜した場合の角度が負の値となり、正面方向ｎｄから第１方向における第２入光面３４の側（他側）に向けて傾斜した場合の角度が正の値となるように定義した場合に、当該第１光成分によって画成される輝度の角度分布は、６５°から８０°の間の輝度が最大となるピーク角度を持つ、あるいは、例示した寸法の範囲を狭めることによって６５°から７５°の間の輝度が最大となるピーク角度を持つようにすることができる。なお、第１光成分による輝度の角度分布は、第２光源２４ｂの発光体２５を消灯し第１光源２４ａの発光体２５のみを点灯した状態で、測定することによっても得られる。
【００５５】
同様に、第２光源２４ａの発光体２５で発光されて導光板内に入射した第２光成分の出光面３１からの出射光量は、第１方向（導光方向）に沿った各位置で一定とはならず、第２光成分の導光板３０への入射面となる第２入光面３４から離間した領域において大きく低下するようになる。その一方で、正面方向ｎｄおよび第１方向（導光方向）を含む面内での第２光成分の輝度の角度分布は、第２方向に沿った各位置において、略同一の分布形状を呈するようになる。そして、例示した導光板３０の寸法および形状によれば、正面方向ｎｄから第１方向における第１入光面３３の側（一側）に向けて傾斜した場合の角度が負の値となり、正面方向ｎｄから第１方向における第２入光面３４の側（他側）に向けて傾斜した場合の角度が正の値となるように定義した場合に、当該第２光成分によって画成される輝度の角度分布は、−８０°から−６５°の間の輝度が最大となるピーク角度を持つ、あるいは、例示した寸法の範囲を狭めることによって−７５°から−６０°の間の輝度が最大となるピーク角度を持つようにすることができる。なお、第２光成分による輝度の角度分布は、第２光源２４ｂの発光体２５を消灯し第１光源２４ａの発光体２５のみを点灯した状態で、測定することによっても得られる。
【００５６】
以上のような構成からなる導光板３０は、押し出し成型により、あるいは、基材上に単位プリズム５０を賦型することにより、作製することができる。導光板３０の基部４０の主部４４および単位プリズム５０をなす材料としては、種々の材料を使用することができる。ただし、表示装置に組み込まれる光学シート（光学部材）用の材料として広く使用され、優れた機械的特性、光学特性、安定性および加工性等を有するとともに安価に入手可能な材料、例えば、アクリル、スチレン、ポリカーボネート、ポリエチレンテレフタレート、アクリロニトリル等の一以上を主成分とする透明樹脂や、エポキシアクリレートやウレタンアクリレート系の反応性樹脂（電離放射線硬化型樹脂等）が好適に使用され得る。一方、拡散成分４５は、一例として、平均粒径が０．５〜１００μｍ程度であるシリカ（二酸化珪素）、アルミナ（酸化アルミニウム）、アクリル樹脂、ポリカーボネート樹脂、シリコーン樹脂等の透明物質からなる粒子を、用いることができる。
【００５７】
なお、押し出し成型で作製された導光板３０においては、基部４０と、基部４０の一側の面４１上の複数の単位プリズム５０と、が一体的に形成され得る。また、押し出し成型によって導光板３０を作製する場合、単位プリズム５０が、基部４０の主部４４をなす材料と同一の樹脂材料と、基部４０の拡散成分４５をなす粒子と、から構成されてもよい。あるいは、いわゆる共押し出しにより導光板３０が作製され、基部４０が、樹脂材料からなる主部４４と、主部４４中に分散された拡散成分４５と、から構成され、その一方で、単位プリズム５０が、基部４０の主部４４をなす材料と同一の樹脂材料と、基部４０の拡散成分４５とは別途の機能を有した粒子と、から構成されてもよいし、あるいは、基部４０の主部４４をなす材料と同一の樹脂材料のみから構成されてもよい。
【００５８】
次に、光制御シート６０について説明する。図１および図２に示されているように、光制御シート６０は、シート状に形成された本体部６５と、本体部６５の導光板３０に対面する面６５ｂとは反対側の面（観察者側を向く面）６５ａ、つまり本体部６５の出光側面６５ａ上に設けられた複数の単位光学要素７０と、を有している。
【００５９】
図１および図２から理解され得るように、複数の単位光学要素７０は、本体部６５の出光側面６５ａと平行なある方向に並べて、本体部６５の出光側面６５ａ上に、配列されている。各単位光学要素７０は、本体部６５の出光側面６５ａ上を、その配列方向と交差する方向に線状に延びている。
【００６０】
とりわけ本実施の形態において、複数の単位光学要素７０は、本体部６５の出光側面６５ａ上に、その配列方向に沿って隙間無く並べて配列されている。したがって、光制御シート６０の出光面６０ａは、単位光学要素７０の表面（出光面）７０ａによって、形成されている。また、各単位光学要素７０は、その配列方向に直交する方向に沿って、直線状に延びている。さらに、各単位光学要素７０は、柱状に形成され、その長手方向に沿って同一の断面形状を有するようになっている。また、本実施の形態において、複数の単位光学要素７０は、互いに同一に構成されている。
【００６１】
図１および図２に示すように、光制御シート６０は、光制御シート６０の本体部６５の法線方向（本実施の形態では、正面方向）ｎｄから観察した場合に、光制御シート６０の単位光学要素７０の配列方向が第１方向と平行となるようにして、導光板３０に対して位置決めされている。
【００６２】
図２は、単位光学要素７０の配列方向（本実施の形態では、第１方向と平行な方向）および本体部６５の出光側面６５ａへの法線方向ｎｄの両方向に平行な断面（以下においては、単に、光制御シートに関する「主切断面」とも呼ぶ）において、光制御シート６０を示している。図２の断面において、各単位光学要素７０は、曲線状の外輪郭を有するようになっている。すなわち、光制御シートの主切断面における単位光学要素７０の外輪郭は、一以上の弧をつなぎ合わせて構成されている。また、本実施の形態においては、光制御シートの主切断面における単位光学要素７０の外輪郭は、本体部６５の法線方向ｎｄと平行な軸を対称軸として、線対称となっている。
【００６３】
以上のような構成を有した光制御シート６０において、主切断面における単位光学要素７０の幅Ｗｂ（図２参照）に対する単位光学要素７０の高さＨｂの比（Ｈｂ／Ｗｂ）の大きさが、当該光制御シート６０の集光性および拡散性に大きな影響を与える。そして、本実施の形態においては、後述する作用効果を確保する上で、単位光学要素７０の幅Ｗｂ（図２参照）に対する単位光学要素７０の高さＨｂの比（Ｈｂ／Ｗｂ）が、０．５５以上０．８５以下となっていることが好ましい。
【００６４】
また、光制御シート６０のその他の寸法は、一例として、以下のように設定され得る。
まず、以上のような構成からなる単位光学要素７０の具体例として、単位光学要素７０の幅Ｗｂ（図２参照）を２０μｍ以上２００μｍ以下とすることができる。また、光制御シート６０のシート面への法線方向ｎｄに沿った本体部６５の出光側面６５ａからの単位光学要素７０の突出高さＨｂを１４μｍ以上１６０μｍ以下とすることができる。一方、本体部６５の厚みは、０．０１ｍｍ〜１ｍｍとすることができる。このような光制御シート６０は、導光板３０の作製に用いられ得る上述の材料と同様の材料を用いて、上述した導光板の作製方法と同様の方法によって、作製することができる。
【００６５】
次に、以上のような構成からなる表示装置１０の作用について説明する。
【００６６】
まず、図２に示すように、光源２４ｂ，２４ｂをなす発光体２５で発光された光は、入光面３３，３４を介し、導光板３０に入射する。図２には、一例として、第１光源２４ａから第１入光面３３を介して導光板３０に光が入射する例が示されている。以下、この図２に示された例に基づいて面光源装置２０および表示装置１０の作用について説明する。ただし、導光板３０は、第１方向における中央位置Ｐｃを中心として対称的な構成を有している。また、第１光源２４ａおよび第２光源２４ｂは、第１方向に導光板３０を挟んで、対称的に構成されている。さらに、光制御シート６０、光拡散シート８０、反射シート２８等の面光源装置２０の他の構成要素、および、液晶表示パネル１５も、同様に対称性を有している。このような構成の対称性にともない、第２光源２４ｂから第２入光面３４を介して導光板３０に入射する光に対しても、以下の説明が同様に当てはまる。
【００６７】
図２に示すように、導光板３０へ入射した光Ｌ２１，Ｌ２２は、導光板３０の出光面３１および裏面３２において、反射、とりわけ導光板３０をなす材料と空気との屈折率差に起因して全反射を繰り返し、導光板３０の入光面３３と反対面（他方の入光面）３４とを結ぶ第１方向（導光方向）へ進んでいく。ただし、導光板３０の基部４０内には拡散成分４５が分散されている。このため、図２に示すように、導光板３０内を進む光Ｌ２１，Ｌ２２は、拡散成分４５によって進行方向を不規則に変更され、全反射臨界角未満の入射角度で出光面３１に入射することもある。この場合、当該光は、導光板３０の出光面３１から、出射し得るようになる。出光面３１から出射した光Ｌ２１，Ｌ２２は、導光板３０の出光側に配置された光制御シート６０へと向かう。
【００６８】
導光板３０内を進行する光と、導光板３０内に分散された拡散成分４５と、の衝突は、導光板３０内の導光方向に沿った各区域において、生じる。このため、導光板３０内を進んでいる光は、少しずつ、出光面３１から出射していくようになる。これにより、導光板３０の出光面３１から出射する光の導光方向（第１方向）に沿った各位置から、光が出射するようになる。
【００６９】
なお、既に説明したように、第１光源２４ａの発光体２５で発光されて導光板３０に入射した第１光成分の導光板３０の出光面３１からの出射光量は、第１方向（導光方向）に沿った各位置において変化する。具体的には、第１光成分の出射光量は、第１光成分の導光板３０への入射面となる第１入光面３３の側の端部から第１方向（導光方向）沿いに中央位置Ｐｃに向けて、変動量は大きくないものの、しだいに低下していく。そしてさらに、第１光成分の出射光量は、第１入光面３３から大きく離間した領域において、例えば、第２入光面３４の近傍の領域において、大きく低下してしまう。このような第１方向に沿った第１光成分の出射光量の変動は、面光源装置２０の発光面２１が大型化されるのにつれて、つまり表示装置１０の表示面１１が大型化されるのにつれて、顕著となる。
【００７０】
同様に、第２光源２４ｂの発光体２５で発光されて導光板３０に入射した第２光成分の導光板３０の出光面３１からの出射光量は、第１方向（導光方向）に沿った各位置において変化する。ただし、第１方向に沿った第２光成分の出射光量の変動態様は、第１方向に沿った第１光成分の出射光量の変動態様と、中央位置Ｐｃを中心として第１方向に対称的となる。すなわち、第２光成分の導光板３０の出光面３１からの出射光量は、第１方向（導光方向）に沿って、第２入光面３４の側（他側）から第１入光面３３の側（一側）へ向けて、しだいに低下していく。この結果、導光板３０の出光面３１の第１方向における各位置からの全出射光量、つまり第１光成分および第２光成分を足し合わせた出射光量を、第１方向に沿って、概ね均一化することができる。このようにして、対向する一つの入光面３３，３４を有した導光板３０によれば、導光板３０の出光面３１から出射する光の第１方向（導光方向）に沿った光量分布が、或る程度、均一化するようになる。
【００７１】
なお、導光板３０の各位置からの出射光量は、市販されている照度計のセンサを測定対象となる導光板３０の出光面３１上の位置に接触させた状態で、当該照度計によって測定された照度値の大きさによって評価され得る。
【００７２】
ところで、図示する導光板３０の出光面３１は複数の単位プリズム５０によって構成され、各単位プリズム５０の主切断面における断面形状は、三角形形状または三角形形状の頂角５６を面取りしてなる形状となっている。すなわち、出光面３１は、導光板３０の裏面３２に対して傾斜した傾斜面３７，３８として、構成されている（図４参照）。そして、この傾斜面３７，３８で全反射して導光板３０内を進む光およびこの傾斜面３７，３８を通過して導光板３０から出射する光は、この傾斜面３７，３８から、以下に説明する作用を及ぼされるようになる。まず、傾斜面３７，３８で全反射して導光板３０内を進む光に対して及ぼされる作用について説明する。
【００７３】
図４には、出光面３１および裏面３２において全反射を繰り返しながら導光板３０内を進む光Ｌ４１，Ｌ４２の光路が、導光板の主切断面内に示されている。上述したように、導光板３０の出光面３１をなす傾斜面３７，３８は、三角形形状の頂角を面取りしてなる形状を断面形状として有している単位プリズム５０の外表面によって形成され、基部４０の一側の面４１への法線方向ｎｄを挟んで互いに逆側に傾斜した二種類の面を含んでいる。また、互いに逆側に傾斜した二種類の傾斜面３７，３８は、第２方向に沿って、交互に並べられている。そして、図４に示すように、導光板３０内を出光面３１に向けて進み出光面３１に入射する光Ｌ４１，Ｌ４２は、多くの場合、二種類の傾斜面３７，３８のうちの、導光板の主切断面において基部４０の一側の面４１への法線方向ｎｄを基準として当該光の進行方向とは逆側に傾斜した傾斜面へ入射する。
【００７４】
この結果、図４に示すように、導光板３０内を進む光Ｌ４１，Ｌ４２は、出光面３１の傾斜面３７，３８で全反射する多くの場合、第２方向に沿った成分を低減されるようになり、さらには、主切断面においてその進行方向は正面方向ｎｄを中心として逆側に向くようにもなる。このようにして、導光板３０の出光面３１をなす傾斜面３７，３８によって、ある発光点で放射状に発光された光が、そのまま第２方向に拡がり続けることが規制される。すなわち、光源２４ａ，２４ｂの発光体２５から第１方向に対して大きく傾斜した方向に発光され導光板３０内に入射した光も、第２方向への移動を規制されながら、主として第１方向へ進むようになる。
【００７５】
このように、第２方向への光の移動が規制されながら、その一方で、第１方向への光の移動が促進されることから、導光板３０の出光面３１から出射する光の第２方向に沿った光量分布を、光源２４ａ，２４ｂの構成（例えば、発光体２５の配列）や、発光体２５の出力によって、調節するといったことが可能となる。また、第２方向への光の移動が規制されながら、その一方で、第１方向への光の移動が促進されることから、すなわち直進性が高められることから、入光面３３，３４の近傍において多量の光が導光板３０から出射してしまうことを抑制するとともに、導光板３０の第１方向（導光方向）における中央領域まで光を誘導することができるようにもなる。これにより、観察者によって明るさの変動を最も感知されやすくなる表示面１１の中央の明るさを効果的に上昇させることができる。
【００７６】
次に、出光面３１を通過して導光板３０から出射する光に対して及ぼされる作用について説明する。図４に示すように、出光面３１を介し導光板３０から出射する光Ｌ４１，Ｌ４２は、導光板３０の出光面３１をなす単位プリズム５０の出光側面５１において屈折する。この屈折により、主切断面において正面方向ｎｄから傾斜した方向に進む光Ｌ４１，Ｌ４２の進行方向（出射方向）は、主として、導光板３０内を通過している際における光の進行方向と比較して、正面方向ｎｄに対してなす角度が小さくなるように、曲げられる。このような作用により、単位プリズム５０は、導光方向と直交する第２方向に沿った光の成分について、透過光の進行方向を正面方向ｎｄ側に絞り込むことができる。すなわち、単位プリズム５０は、導光方向と直交する第２方向に沿った光の成分に対して、集光作用を及ぼすようになる。このようにして、導光板３０から出射する光の出射角度は、導光板３０の単位プリズム５０の配列方向と平行な面内において、正面方向を中心とした狭い角度範囲内に絞り込まれる。
【００７７】
以上のようにして、導光板３０から出射する光の出射角度は、導光板３０の単位プリズム５０の配列方向と平行な面において、正面方向を中心とした狭い角度範囲内に絞り込まれる。その一方で、導光板３０から出射する光の出射角度は、それまで、導光板３０内を主として第１方向に進んでいたことに起因して、第１方向（導光方向）と平行な面において、正面方向ｎｄから比較的に大きく傾斜した比較的に大きな出射角度θ３となる。具体的には、導光板３０から出射する光の第１方向成分の出射角度（出射光の第１方向成分と導光板３０の板面への法線方向ｎｄとがなす角度θ３（図２参照））は、比較的大きな領域にある特定の角度範囲（例えば、既に説明したように、上述の例示の形状および寸法からなる導光板では、６５°以上８０°以下（さらには６５°以上７５°以下）に最高輝度が存在する角度範囲および−８０°以上−６５°以下（さらには−７５°以上−６５°以下）に最高輝度が存在する角度範囲）内に偏る、傾向がある。
【００７８】
導光板３０から出射した光は、その後、光制御シート６０へ入射する。光制御シート６０の単位光学要素７０は、導光板３０の単位プリズム５０と同様に、単位光学要素７０の出光面７０ａでの屈折によって透過光に対して集光作用を及ぼす。ただし、光制御シート６０でその進行方向を変化させられる光は、光制御シート６０の主切断面と平行な成分であり、導光板３０で正面方向に集光させられた成分とは異なる。つまり、導光板３０は、導光板３０の単位プリズム５０の配列方向と平行な面において、光の進行方向を正面方向を中心とした狭い角度範囲内に絞り込むようになり、その一方で、光制御シート６０は、光制御シート６０の単位光学要素７０の配列方向と平行な面において、正面方向ｎｄを中心とした狭い角度範囲内に光の進行方向を絞り込むようになる。したがって、光制御シート６０での光学的作用によって、導光板３０で上昇されられた正面方向輝度を害すことなく、さらに、正面方向輝度を上昇させることができる。
【００７９】
光制御シート６０を出射した光は、液晶表示パネル１５の下偏光板１４に入射する。下偏光板１４は、入射光のうち、一方の偏光成分（本実施の形態においてはＰ波）を透過させ、その他の偏光成分（本実施の形態においてはＳ波）を吸収する。下偏光板１４を透過した光は、画素毎への電界印加の状態に応じて、選択的に上偏光板１３を透過するようになる。このようにして、液晶表示パネル１５によって、面光源装置２０からの光を画素毎に選択的に透過させることにより、液晶表示装置１０の観察者が、映像を観察することができるようになる。
【００８０】
なお、上述したように、導光板３０内に入射した光は、出光面３１、主として単位プリズム５０の出光側面（プリズム面）によってなされている導光板３０の出光面３１によって、第２方向への移動を規制されながら、第１方向へ進むようになる。すなわち、光源２４ａ，２４ｂをなす多数の発光体２５の各々で発光された光は、導光板３０の出光面３１のうちの、第２方向における所定の範囲内に位置し且つ第１方向に延びる特定の領域内から、主として出射することになる。したがって、表示装置１０の表示面１１に表示される映像に対応して、制御装置１８が、各発光体２５の出力を調節するようにしてもよい。
【００８１】
例えば、表示装置１０の表示面１１内のある領域に何も表示しない場合、言い換えると、表示装置１０の表示面１１内のある領域に黒を表示する場合、表示面１０の当該領域に対応する導光板３０の出光面３１の領域に光を供給する点状発光体２５を消灯させるようにしてもよい。この場合、面光源装置２０からの照明光を表示パネル１５で完全に遮断できないことに起因するコントラストの低下といった従来の不具合を解消することができる。また、電気使用量を節約することができ、省エネルギーの観点からも好ましい。
【００８２】
さらに、黒を表示する例に限られず、表示面１１に表示される映像に対応して各点状発光体２５の出力の程度を調節することにより、表示パネル１５のみに依存することなく、表示される映像の各領域における明るさを調節するようにしてもよい。このような例においても、表示される像のコントラストを向上させることができるとともに、省エネルギーを実現することができる。
【００８３】
ところで、従来技術の欄でも言及したように、従来のエッジライト型の面光源装置は、正面方向ｎｄおよび導光方向（第１方向）の両方向と平行な面内での輝度の角度分布が、導光方向の各位置で、同一の傾向を有するように調整されている。とりわけ、正面方向ｎｄおよび導光方向（第１方向）の両方向と平行な面内での輝度の角度分布が、導光方向におけるいずれの位置においても、正面方向ｎｄに最高輝度が出現するように調整されていた。
【００８４】
しかしながら、表示装置１０の表示面１１およびこれにともなって面光源装置２０の発光面２１が大型化されると、図５に示すように、観察者Ｏ１が表示面１１に表示される映像を観察する際の観察角度θｘが、表示面１１上の各位置において、大きく異なるようになる。例えば、表示面１１の中央位置Ｐｃを観察する観察角度と、表示面１１の端部位置Ｐｅ１，Ｐｅ２を観察する角度では、１０°以上の差がつくこともある。なお、ここでいう観察角度θｘとは、図５に示すように、表示面１１を観察する観察方向が正面方向ｎｄに対してなす角度の大きさのことである。
【００８５】
したがって、従来の面光源装置が組み込まれている表示装置のように、正面方向および導光方向と平行な面内での輝度の角度分布が、導光方向と平行な方向における表示面上の各位置において、正面方向を中心として対称的で概ね一定の傾向（分布態様）を示す場合には、表示面１１の導光方向における中央となる中央位置Ｐｃでの映像の明るさと、表示面１１の導光方向における端部となる端部位置Ｐｅ１，Ｐｅ２での映像の明るさと、が大きく異なるようになる。言い換えると、このような面光源装置および表示装置では、正面方向輝度の導光方向に沿った分布が概ね均一化されているが、観察者によって実際に感知される明るさは導光方向に沿って大きくばらついてしまう。
【００８６】
一方、本実施の形態における面光源装置１０は、正面方向ｎｄおよび第１方向（道央方向）の両方向と平行な面内での輝度の角度分布として、図６〜図８に実線で示された分布を発光面２１上の各位置において呈するように調整されている。図６〜図８に示された輝度の角度分布は、図１〜図４に示された構成の面光源装置について、上述した具体的な範囲内の形状および寸法の一つを採用して実際にシミュレーションを行うことによって得られた分布である。ここで、図６〜８に示された輝度の角度分布、並びに、後述する図１２〜図１４および図１６〜図１８に示された輝度の角度分布では、正面方向を０°として、正面方向ｎｄから第１方向と平行な方向における第１光源２４ａの側（一側）に向けて傾斜した場合の角度が負の値となり、正面方向ｎｄから第１方向と平行な方向における第２光源２４ｂの側（他側）に向けて傾斜した場合の角度が正の値となるように定義している。
【００８７】
図６は、第１方向と平行な方向における第１光源側（一側）の端部となる発光面２１の第１端部位置Ｐｅ１での輝度の角度分布を示している。図８は、第１方向と平行な方向における第２光源側（他側）の端部となる発光面２１の第２端部位置Ｐｅ２での輝度の角度分布を示している。図７は、第１方向と平行な方向における発光面２１の中央となる中央位置Ｐｃでの輝度の角度分布を示している。図６〜図８に示すように、発光面２１上の第１端部位置Ｐｅ１での輝度の角度分布における最高輝度をもたらすピーク角度θａと、発光面２１上の第２端部位置Ｐｅ２での輝度の角度分布における最高輝度をもたらすピーク角度θｂと、発光面２１上の中央位置Ｐｃでの輝度の角度分布における最高輝度をもたらすピーク角度θｃは、次の式（１）の関係を満たしている。
θｂ＜θｃ＜θａ  ・・・式（１）
より具体的な角度として、図６〜図８に示す例では、θａ＝７．５°、θｂ＝−７．５°、θｃ＝０°となっている。
【００８８】
このような面光源装置２０の発光面２１上における第１方向（導光方向）に沿った各位置での輝度の角度分布は、次に説明するように、上述してきた本実施の形態における導光板３０での出射光の指向性を、光制御シート６０で調整することによって、実現されている。
【００８９】
既に説明したように、導光板３０には、第１方向に対向する一対の入光面３３，３４が設けられ、第１光源２４ａおよび第２光源２４ｂで発光された光が入射する。すなわち、導光板３０の出光面３１における輝度は、第１光源２４ａの発光体２５で発光された第１光成分と、第２光源２４ｂの発光体２５で発光された第２光成分と、によって確保されている。また、導光板３０の主切断面における断面形状は、第１方向（導光方向）に沿って、一定となっている。
【００９０】
このため、正面方向および第１方向（導光方向）を含む面内（すなわち、導光板の主切断面と平行な面内）における導光板３０の出光面３１上での第１光成分に起因した輝度の角度分布、すなわち、第２光源２４ｂの発光体２５を消灯して第１光源２４ａの発光体２５のみを点灯した状態で計測される導光板３０の出光面３１上での輝度の角度分布は、第１方向に沿った各位置において、略同一の指向性（分布、形体）を呈するようになる。具体的には、上述した寸法および形状の一具体例を有する上述した構成の導光板３０によれば、正面方向から第１方向における第１光源２４ａの側（一側）に向けて傾斜した場合の角度が負の値となり、正面方向から第１方向における第２光源２４ｂの側（他側）に向けて傾斜した場合の角度が正の値となるように定義した場合に、当該第１光成分によって画成される輝度の角度分布は、６５°から８０°の間、さらには６５°から７５°の間に輝度が最大となるピーク角度を持つように、調整され得る。
【００９１】
導光板３０の出光面３１での輝度の角度分布について、第１光成分と同様のことが、中心位置Ｐｃを中心として第１方向（導光方向）に対称とした上で第２光成分にもあてはまる。すなわち、正面方向および第１方向（導光方向）を含む面内（すなわち、導光板の主切断面と平行な面内）における導光板３０の出光面３１上での第２光成分に起因した輝度の角度分布、すなわち、第１光源２４ａの発光体２５を消灯して第２光源２４ｂの発光体２５のみを点灯した状態で計測される導光板３０の出光面３１上での輝度の角度分布は、第１方向に沿った各位置において、略同一の指向性（分布、形体）を呈するようになる。そして、上述した寸法および形状の一具体例を有する上述した構成の導光板３０によれば、該第２光成分によって画成される輝度の角度分布は、−８０°から−６５°の間、さらに−７５°から−６５°の間に輝度が最大となるピーク角度を持つように、調整され得る。
【００９２】
導光板３０から出射した光（第１光成分および第２光成分）は、その後、正面方向輝度を向上させるため、光制御シート６０の単位光学要素７０で光軸を補正される。単位光学要素７０は、第１方向に直交する第２方向に直線状に延び、且つ、第１方向に並べて配置されている。上述のように、導光板３０からの出射光の一部をなす第１光成分に起因した第１方向における輝度の角度分布は、導光板３０の出光面３１上における第１方向に沿った各位置で、概ね同一の形体を呈し、且つ、導光板３０からの出射光の残部をなす第２光成分に起因した第１方向における輝度の角度分布も、導光板３０の出光面３１上における第１方向に沿った各位置で、概ね同一の形体を呈する。したがって、互いに同一形状を有する単純構造の多数の単位光学要素７０を用いながら、当該単位光学要素７０の形状を調整することによって、より効果的には、当該単位光学要素７０の幅Ｗｂ（図２参照）に対する高さＨｂの比（Ｈｂ／Ｗｂ）の大きさを調整することにより、導光板３０からの出射光の光軸を概ね自在に制御することができる。
【００９３】
光制御シート６０で光軸を補正された光は、その後、輝度の角度分布がなだらかに変化するように光拡散シート８０によって拡散され、発光面２１に到達する。図６〜図８、並びに、後述する図１２〜図１４および図１６〜図１８には、当該輝度の角度分布が調査された位置での第１光成分に起因した輝度の角度分布が点線で示されており、当該輝度の角度分布が調査された位置での第２光成分に起因した輝度の角度分布が一点鎖線で示されている。
【００９４】
図６〜図８に示すように、導光板３０の出光面３１での輝度の角度分布におけるピーク角度が６５°から８０°の間（または、６５°から７５°の間）に存在していた第１光成分、および、導光板３０の出光面３１での輝度の角度分布におけるピークが−８０°から−６５°の間（または、−７５°から−６５°の間）に存在していた第２光成分は、光制御シート６０によって正面方向ｎｄの側へ集められている。しかしながら、面光源装置２０の発光面２１での第１光成分に起因した輝度の角度分布におけるピーク角度は、正面方向ｎｄまで補正されきっておらず、正の値をとっている。また、面光源装置２０の発光２１での第２光成分に起因した輝度の角度分布におけるピーク角度は、正面方向ｎｄまで補正されきっておらず、負の値をとっている。具体的な数値として、図７に示された発光面上２１の中央位置Ｐｃでの正面方向および第１方向の両方と平行な面内における第１光成分の輝度の角度分布において、最高輝度をもたらすピーク角度θｃ１は、１２．５°となっており、図７に示された発光面上２１の中央位置Ｐｃでの正面方向および第１方向の両方と平行な面内における第２光成分の輝度の角度分布において、最高輝度をもたらすピーク角度θｃ２は、−１２．５°となっている。
【００９５】
図６〜図８にも示されているように、第１方向に沿った面内での第１光成分に起因した発光面２１上での輝度の角度分布は、第１方向に沿った各位置において、略一定の形体を呈するが、その一方で、第１光成分の発光面２１からの出射光量は、第１方向に沿って第１端部位置Ｐｅ１から中央位置Ｐｃを経て第２端部位置Ｐｅ２に向かうにつれて、しだいに少量となっていく。また、第１方向に沿った面内での第２光成分に起因した発光面２１上での輝度の角度分布も、第１方向に沿った各位置において、略一定の形体を呈するが、第２光成分の発光面２１からの出射光量は、第１方向に沿って第２端部位置Ｐｅ２から中央位置Ｐｃを経て第２端部位置Ｐｅ１に向かうにつれて、しだいに少量となっていく。
【００９６】
すなわち、第１光成分と第２光成分との総量としての発光面２１からの出射光量は、導光方向に沿った各位置で、概ね一定とすることができるが、発光面２１からの出射光のうちの第１光成分が占める割合は、第１方向に沿って第１端部位置Ｐｅ１から中央位置Ｐｃを経て第２端部位置Ｐｅ２に向かうにつれて、しだいに低くなっていく。逆に、発光面２１からの出射光のうちの第２光成分が占める割合は、第１方向に沿って第１端部位置Ｐｅ１から中央位置Ｐｃを経て第２端部位置Ｐｅ２に向かうにつれて、しだいに多くなっていく。この結果、発光面２１の第１端部位置Ｐｅ１での輝度の角度分布は、第１光成分に起因した輝度の角度分布とよく似た形体を持ち、逆に、発光面２１の第２端部位置Ｐｅ２での輝度の角度分布は、第２光成分に起因した輝度の角度分布とよく似た形体を呈するようになる。
【００９７】
図６〜図８に示されているように、第１光成分に起因した発光面２１での輝度の角度分布において最高輝度をもたらすピーク角度は、第２光成分に起因した発光面２１での輝度の角度分布において最高輝度をとるピーク角度よりも大きな角度を取る。この結果、第１光成分と第２光成分とが略同量だけ出射光に含まれるようになる発光面２１の中央位置Ｐｃでの輝度の角度分布におけるピーク角度θｃは、第２光成分よりも第１光成分により強く支配されるようになる発光面２１上の第１端部位置Ｐｅ１での輝度の角度分布のピーク角度θａよりも小さく、第１光成分よりも第２光成分により強く支配されるようになる発光面２１上の第２端部位置Ｐｅ２での輝度の角度分布のピーク角度θｂよりも大きな値を取るようになり、上述した式（１）が満たされるようになる。
【００９８】
なお、本件発明者らが研究を重ねたところ、第１光成分に起因した導光板３０の出光面３１上での正面方向および第１方向の両方と平行な面内における輝度の角度分布についてのピーク角度が６５°から７５°に存在し、且つ、第２光成分に起因した導光板３０の出光面３１上での正面方向および第１方向の両方と平行な面内における輝度の角度分布についてのピーク角度が−７５°から−６５°に存在するようになる導光板３０との組み合わせにおいて、上述した構成を有する光制御シート６０について、当該単位光学要素７０の幅Ｗｂ（図２参照）に対する高さＨｂの比（Ｈｂ／Ｗｂ）が０．５５以上０．８５以下となっている場合、式（１）が満たされ得ることが確認された。
【００９９】
図５は、図６〜図８に示され且つ式（１）を満たす輝度特性を有する面光源装置２０を用いた表示装置１０が示されている。図６〜図８に示され且つ式（１）を満たす輝度特性を有する面光源装置２０においては、図５に示すように、表示面１１上の中央位置Ｐｃに表示される映像は、正面方向から最も明るく観察することができる。
【０１００】
また、表示面１１上の第１端部位置Ｐｅ１に表示される映像は、第１端部位置Ｐｅ１に対して正面方向ｎｄから対面する位置（図５におけるＯ１１の位置）よりも、当該位置Ｏ１１から第１方向に沿って中央位置Ｐｃの側にずれた位置において、最も明るく観察される。具体的には、図６に示されたピーク角度θａ分だけ、正面方向ｎｄから傾斜した方向から、表示面１１上の第１端部位置Ｐｅ１に表示される映像を最も明るく観察することができる。したがって、中央位置Ｐｃに対して正面方向ｎｄに対面する位置（図５における観察者Ｏ１の位置）から表示面１１を観察した場合、表示面１１上の第１端部位置Ｐｅ１に表示される映像を比較的に明るく観察することができる。すなわち、中央位置Ｐｃに映し出される映像の明るさに対して、第１端部位置Ｐｅ１に映し出される映像の明るさが著しく暗くなってしまうことを防止することができる。
【０１０１】
さらに、表示面１１上の第２端部位置Ｐｅ２に表示される映像は、第２端部位置Ｐｅ１に対して正面方向ｎｄから対面する位置（図５におけるＯ１２の位置）よりも、当該位置Ｏ１２から第１方向に沿って中央位置Ｐｃの側にずれた位置において、最も明るく観察される。具体的には、図８に示されたピーク角度θｂ分だけ、正面方向ｎｄから傾斜した方向から、表示面１１上の第２端部位置Ｐｅ２に表示される映像を最も明るく観察することができる。したがって、中央位置Ｐｃに対して正面方向ｎｄに対面する位置（図５における観察者Ｏ１の位置）から表示面１１を観察した場合、表示面１１上の第２端部位置Ｐｅ２に表示される映像を比較的に明るく観察することができる。すなわち、中央位置Ｐｃに映し出される映像の明るさに対して、第１端部位置Ｐｅ２に映し出される映像の明るさが著しく暗くなってしまうことを防止することができる。このようにして、観察者が感知する明るさのムラを効果的に目立たなくさせることができる。
【０１０２】
以上のような本実施の形態に係る面光源装置２０の発光面２１での輝度の角度分布に対し、図１６〜図１８は、第１光成分に起因した発光面上での正面方向および第１方向の両方向に沿った面内における輝度の角度分布、および、第２光成分に起因した発光面上での正面方向および第１方向の両方向に沿った面内における輝度の角度分布が、それぞれ、正面方向にピーク角度を持つように設計した例を示している。図１６〜図１８に示された例では、全出射光に起因した面光源装置の発光面上での正面方向および第１方向の両方向に沿った面内における輝度の角度分布は、第１方向（導光方向）に沿ったいずれの位置においても、正面方向ｎｄにおいて最高輝度を取るようになる。また、図６〜図８に示された輝度特性と比較すると、図１６〜図１８に示された例では、最高輝度の半分以上の輝度を確保することができる角度域を示す半値角が、非常に小さくなっている。したがって、図１６〜図１８に示された例によれば、正面方向輝度を向上させること、並びに、正面方向輝度の面内分布を均一化させることが可能となる。
【０１０３】
しかしながら、図５において表示装置１０の第１端部位置Ｐｅ１に二点鎖線で示された出光量の角度分布（明るさの角度分布）から理解され得るように、中央位置Ｐｃに対して正面方向ｎｄに対面する位置（図５における観察者Ｏ１の位置）から表示面１１を観察した場合、大型表示面１１の中央位置Ｐｃに映し出される映像と比較して、端部位置Ｐｅ１，Ｐｅ２に映し出される映像は著しく暗く観察される。すなわち、明るさの面内ばらつきが大きくなり、表示面１１に表示される映像は著しく劣化したものとなる。
【０１０４】
さらに、図５に二点鎖線で示されているように、観察者Ｏ２が、中央位置Ｐｃに対して正面方向ｎｄに対面する位置から、第１方向（導光方向）に沿って第２端部位置Ｐｅ２の側にずれた位置において、表示面１１を観察する場合、第１端部位置Ｐｅの観察角度が非常に大きくなる。図５において実線で示された表示面１１上の第１方向に沿った各位置での出光量の角度分布（明るさの角度分布）から理解され得るように、図６〜図８に示された輝度特性を有する面光源装置２０を用いた場合、明るさが全体的に若干暗くなってしまうが、表示面１１の全領域に表示される映像を観察することができる。一方、図１６〜図１８に示された例では、表示面上の第１端部位置Ｐｅ１を含む一部の領域において、もはや映像を観察することができなくなる。
【０１０５】
ところで、昨今における標準的な品質となりつつあるフルハイビジョンテレビは、視力１．０の観察者が画素を分解して観察することが不可能となるとされている表示面１１の長辺の長さの３倍の距離だけ離れた位置から表示面観察することが推奨されており、一般的には、表示面１１の幅の１．５倍から６倍の距離だけ離れた位置から表示面を観察することが想定されている。このような観点からすれば、このような位置から観察する観察者が、表示面１１上の中央位置Ｐｃに表示される映像と、表示面１１上の第１端部位置Ｐｅ１に表示される映像と、表示面１１上の第１端部位置Ｐｅ２に表示される映像とを、最も明るく観察さし得るようになっていることが好ましい。すなわち、図５に示された発光面２１上の第１端部位置Ｐｅ１での正面方向および第１方向と平行な面内での輝度の角度分布におけるピーク角度θａが、次の式（２）を満たし、図５に示された発光面２１上の第２端部位置Ｐｅ２での正面方向および第１方向と平行な面内での輝度の角度分布におけるピーク角度θｂが、次の式（３）を満たすことが好ましい。
１／１２≦ｔａｎ（θａ）≦１／３  ・・・式（２）
−１／３≦ｔａｎ（θｂ）≦−１／１２  ・・・式（３）
【０１０６】
また、図７に示された発光面２１の中央位置Ｐｃにおける第１光成分の輝度の角度分布において、最高輝度をもたらすピーク角度θｃ１は、５°以上１５°以下となっていることが好ましい。この角度θｃ１が大き過ぎると、全出射光に起因した発光面２１上の中央位置Ｐｃでの輝度の角度分布が、正面方向ｎｄに単一のピークを持たなくなる可能性がある。また、この角度θｃ１が小さすぎると、図１６〜図１８に示された例と類似した輝度特性を呈し、感知される明るさの面内分布を効果的に均一化させることができない。同様に、図７に示された発光面２１の中央位置Ｐｃにおける第２光成分の輝度の角度分布において、最高輝度をもたらすピーク角度θｃ２は、−１５°以上−５°以下となっていることが好ましい。この角度θｃ１が大き過ぎると、図１６〜図１８に示された例と類似した輝度特性を呈し、感知される明るさの面内分布を効果的に均一化させることができない。また、この角度θｃ１が小さすぎると、全出射光に起因した発光面２１上の中央位置での輝度の角度分布が、正面方向ｎｄに単一のピークを持たなくなる可能性がある。
【０１０７】
さらに、発光面２１上の第１端部位置Ｐｅ１での輝度の角度分布における最高輝度値ＰＬＶａおよび発光面２１上の第１端部位置Ｐｅ１での輝度の角度分布における正面方向ｎｄでの輝度値ＦＬＶａ、並びに、発光面２１上の第２端部位置Ｐｅ２での輝度の角度分布における最高輝度値ＰＬＶｂおよび発光面２１上の第２端部位置Ｐｅ２での輝度の角度分布における正面方向での輝度値ＦＬＶｂが、次の式（４）および（５）を満たすことが好ましい。式（４）および式（５）が満たされない場合、実際の表示装置１０の使用において、端部位置Ｐｅ１，Ｐｅ２に映し出される映像の明るさが暗く感じられることが生じるようになる。
０．６≦（ＦＬＶａ／ＰＬＶａ）＜１  ・・・式（４）
０．６≦（ＦＬＶｂ／ＰＬＶｂ）＜１  ・・・式（５）
【０１０８】
以上のような本実施の形態によれば、観察者によって感知される明るさのムラを効果的に目立たなくさせることができる。また、観察者によって観察され得る映像の明るさを効果的に上昇させ得ることから、光源光の有効利用が実現され、エネルギー効率が改善されたことにもなる。
【０１０９】
なお、上述した実施の形態に対して様々な変更を加えることが可能である。以下、図面を参照しながら、変形の一例について説明する。以下の説明で用いる図面では、上述した実施の形態における対応する部分に対して用いた符号と同一の符号を用いており、重複する説明を省略する。
【０１１０】
上述した実施の形態において、光制御シート６０が、本体部６５と、本体部６５の出光側面６５ａ上に設けられて出光側に突出する単位光学要素７０を有する例を示したが、これに限られない。図９および図１０に示すように、光制御シート６０が、本体部６５と、本体部６５の入光側面６５ｂ上に設けられて入光側に突出する単位光学要素７５を有するようにしてもよい。すなわち、光制御シート６０が、全反射型の集光シートとして構成されていてもよい。以下、図９および図１０に示された態様について説明する。
【０１１１】
まず、図９および図１０に示された例における光制御シート６０について説明する。図９および図１０から理解され得るように、複数の単位光学要素７５は、本体部６５の入光側面６５ｂと平行なある方向に並べて、本体部６５の入光側面６５ｂ上に、配列されている。各単位光学要素７５は、本体部６５の入光側面６５ｂ上を、その配列方向と交差する方向に線状に延びている。
【０１１２】
とりわけ図示する例において、複数の単位光学要素７５は、本体部６５の入光側面６５ｂ上に、その配列方向に沿って隙間無く並べて配列されている。したがって、光制御シート６０の導光板３０に対面する入光面６０ｂは、単位光学要素７５の表面（出光面）７５ｂによってなされる面（プリズム面）として、形成されている。また、各単位光学要素７５は、その配列方向に直交する方向に沿って、直線状に延びている。さらに、各単位光学要素７５は、柱状に形成され、その長手方向に沿って同一の断面形状を有するようになっている。また、図示する例において、複数の単位光学要素７５は、互いに同一に構成されている。
【０１１３】
図９および図１０に示すように、光制御シート６０は、光制御シート６０の本体部６５の法線方向（本実施の形態では、正面方向）ｎｄから観察した場合に、光制御シート６０の単位光学要素７５の配列方向が第１方向と平行となるようにして、導光板３０に対して位置決めされている。
【０１１４】
図１０は、単位光学要素７５の配列方向（図示する例では、第１方向と平行な方向）および本体部６５の入光側面６５ｂへの法線方向ｎｄの両方向に平行な断面（光制御シートの主切断面）において、光制御シート６０を示している。各単位光学要素７５は、本体部６５の入光側面６５ｂ上に一辺が位置する三角形形状、又は、この三角形形状の本体部６５から突出した頂角が面取りされてなる形状を有し得る。図示する例において、各単位光学要素７５の主切断面における断面形状は、本体部６５から突出した三角形形状となっている（図１０参照）。また、図示する例では、光制御シートの主切断面における単位光学要素７５の外輪郭は、本体部６５の法線方向ｎｄと平行な軸を対称軸として、線対称となっている。
【０１１５】
以上のような構成を有した光制御シート６０において、主切断面における単位光学要素７５の幅Ｗｃ（図１０参照）に対する単位光学要素７５の高さＨｃの比（Ｈｃ／Ｗｃ）の大きさが、その集光性および拡散性に大きな影響を与える。そして、本実施の形態においては、単位光学要素７５の幅Ｗｃ（図１０参照）に対する単位光学要素７５の高さＨｃの比（Ｈｃ／Ｗｃ）が、０．５５以上０．７２以下となっていることが好ましい。本件発明者らが研究を重ねたところ、第１光成分に起因した導光板３０の出光面３１上での正面方向および第１方向の両方向に沿った面内における輝度の角度分布についてのピーク角度が６５°から８０°に存在し、且つ、第２光成分に起因した導光板３０の出光面３１上での正面方向および第１方向の両方向に沿った面内における輝度の角度分布についてのピーク角度が−８０°から−６５°に存在するようになる導光板３０との組み合わせにおいて、図９及び図１０に示された構成を有する光制御シート６０について、当該単位光学要素７５の幅Ｗｃ（図１０参照）に対する高さＨｃの比（Ｈｃ／Ｗｃ）が０．５５以上０．７２以下となっている場合、上述した式（１）が満たされ得ることが確認された。そして、式（１）が満たされる場合、上述の実施の形態と同様の作用効果を得ることができた。
【０１１６】
また、光制御シート６０のその他の寸法は、一例として、以下のように設定され得る。まず、以上のような構成からなる単位光学要素７０の具体例として、単位光学要素７５の具体例として、光制御シート６０のシート面に沿った幅Ｗｃ（図１０参照）を１０μｍ以上５００μｍ以下とすることができ、光制御シート６０のシート面への法線方向ｎｄに沿った単位光学要素７５の本体部６５の入光側面６５ｂからの高さＨｃを６μｍ以上５００μｍ以下とすることができる。また、単位光学要素７５の断面形状が三角形形状または三角形形状の頂角を面取りしてなる形状からなる場合には、当該頂角の角度を５０°以上６５°以下とすることができる。一方、本体部６５の厚みは、０．０１ｍｍ〜１ｍｍとすることができる。また、このような光制御シート６０は、導光板３０の作製に用いられ得る上述の材料と同様の材料を用いて、上述した導光板の作製方法と同様の方法によって、作製することができる。
【０１１７】
また、このように図９および図１０に示された光制御シート６０においても、出光面での輝度特性が、上述した実施の形態と同様に設定されることにより同様の作用効果を得ることができる。例えば、発光面２１上の第１端部位置Ｐｅ１での正面方向および第１方向の両方向に沿った面内における輝度の角度分布において最高輝度をもたらすピーク角度θａと、発光面２１上の第２端部位置Ｐｅ２での正面方向および第１方向の両方向に沿った面内における輝度の角度分布において最高輝度をもたらすピーク角度θｂが、それぞれ、上述した式（２）および式（３）を満たすことが好ましい。また、第１光成分に起因した発光面２１上の中央位置Ｐｃでの正面方向および第１方向の両方向に沿った面内における輝度の角度分布についてのピーク角度θｃ１が、５°以上１５°以下となっていることが好ましく、第２光成分に起因した発光面２１上の中央位置Ｐｃでの正面方向および第１方向の両方向に沿った面内における輝度の角度分布についてのピーク角度θｃ２が、−１５°以上−５°以下となっていることが好ましい。さらに、上述した式（４）および式（５）が満たされることが好ましい。
【０１１８】
引き続き、別の変形例について説明する。上述した実施の形態では、第１光源２４ａで発光された第１光成分に起因した発光面２１上での輝度の角度分布において最高輝度をもたらすピーク角度が、発光面２１上の第１方向に沿った各位置において、概ね同様の角度となり、同様に、第２光源２４ｂで発光された第２光成分に起因した発光面２１上での輝度の角度分布において最高輝度をもたらすピーク角度が、発光面２１上の第１方向に沿った各位置において、概ね同様の角度となる例を示した。加えて、第１光成分に起因した発光面２１上での輝度の角度分布において最高輝度をもたらすピーク角度は、第２光成分に起因した発光面２１上での輝度の角度分布において最高輝度をもたらすピーク角度と異なる角度となっていた。そして、上述した実施の形態では、第１方向に沿った各位置に入射する第１光成分と第２光成分との光量比率が、第１方向に沿った位置に応じて変化することから、上述した式（１）で表される輝度特性を実現し、有用な作用効果を奏することができた。しかしながら、上述した実施の形態とは異なる方法によって、上述した式（１）の輝度特性を確保することができる。
【０１１９】
図１２〜図１４に示す例において、第１光源２４ａで発光された第１光成分に起因した発光面２１上での輝度の角度分布において最高輝度をもたらすピーク角度は、発光面２１上の第１方向に沿った各位置において、変化している。具体的には、発光面２１上の第１方向に沿った各位置で、正面方向および第１方向を含む面内での第１光源２４ａで発光された第１光成分に起因した輝度の角度分布を測定した場合、発光面２１の第１端部位置Ｐｅ１での第１光成分に起因した輝度の角度分布における最高輝度をもたらすピーク角度θａ１、発光面２１の第２端部位置Ｐｅ２での第１光成分に起因した輝度の角度分布における最高輝度をもたらすピーク角度θｂ１、および、発光面２１の中央位置Ｐｃでの第１光成分に起因した輝度の角度分布における最高輝度をもたらすピーク角度θｃ１が、次の式（６）を満たすようになっている。
θｂ１＜θｃ１＜θａ１  ・・・式（６）
【０１２０】
同様に、図１２〜図１４に示す例において、第２光源２４ｂで発光された第２光成分に起因した発光面２１上での輝度の角度分布において最高輝度をもたらすピーク角度は、発光面２１上の第１方向に沿った各位置において、変化している。具体的には、発光面２１上の第１方向に沿った各位置で、正面方向および第１方向を含む面内での第２光源２４ｂで発光された第２光成分に起因した輝度の角度分布を測定した場合、発光面２１の第１端部位置Ｐｅ１での第２光成分に起因した輝度の角度分布における最高輝度をもたらすピーク角度θａ２、発光面２１の第２端部位置Ｐｅ２での第２光成分に起因した輝度の角度分布における最高輝度をもたらすピーク角度θｂ２、および、発光面２１の中央位置Ｐｃでの第２光成分に起因した輝度の角度分布における最高輝度をもたらすピーク角度θｃ２が、次の式（７）を満たすようになっている。
θｂ２＜θｃ２＜θａ２  ・・・式（７）
【０１２１】
そして、図１２〜図１４に示す例においては、このような第１光成分に起因した輝度の角度分布と第２光成分に起因した輝度の角度分布との組み合わせにより、上述した式（１）が満たされ、上述した有用な作用効果を確保することができる。
【０１２２】
なお、図１２〜図１４に示された輝度の角度分布は、図１１に示された光制御シート６０を用いることによって実現され得る。上述した実施の形態、並びに、図９および図１０に示された変形例では、光制御シート６０の第１方向に配列された単位光学要素が同一に構成されていた。一方、図１１に示された光制御シート６０は、異なる構成の単位光学要素７７を含んでいる。
【０１２３】
図１１から理解され得るように、複数の単位光学要素７７は、本体部６５の入光側面６５ｂと平行なある方向に並べて、本体部６５の入光側面６５ｂ上に、配列されている。各単位光学要素７７は、本体部６５の入光側面６５ｂ上を、その配列方向と交差する方向に線状に延びている。とりわけ図示する例において、複数の単位光学要素７７は、本体部６５の入光側面６５ｂ上に、その配列方向に沿って隙間無く並べて配列されている。したがって、光制御シート６０の導光板３０に対面する入光面６０ｂは、単位光学要素７７の表面（出光面）７７ｂによってなされる面（プリズム面）として、形成されている。また、各単位光学要素７７は、その配列方向に直交する方向に沿って、直線状に延びている。さらに、各単位光学要素７７は、柱状に形成され、その長手方向に沿って同一の断面形状を有するようになっている。
【０１２４】
図９および図１０に示された例と同様に、図１１の光制御シート６０は、光制御シート６０の本体部６５の法線方向（本実施の形態では、正面方向）ｎｄから観察した場合に、光制御シート６０の単位光学要素７７の配列方向が第１方向と平行となるようにして、導光板３０に対して位置決めされている。
【０１２５】
図１１は、単位光学要素７７の配列方向（図示する例では、第１方向と平行な方向）および本体部６５の入光側面６５ｂへの法線方向ｎｄの両方向に平行な断面（光制御シートの主切断面）において、光制御シート６０を示している。各単位光学要素７７は、第１方向における一側に配置された一側面７７ｂ１と、第１方向における他側に配置された他側面７７ｂ２と、を有している。一例として、各単位光学要素７７は、本体部６５の入光側面６５ｂ上に一辺が位置する三角形形状、又は、この三角形形状の本体部６５から突出した頂角が面取りされてなる形状を有し得る。
【０１２６】
図１１に示された単位光学要素７７は、一方の面を透過してその内部に入射した光を他方の面において全反射させることにより、偏向機能を発揮する。図１１に示すように、第１光源２４ａからの第１光成分は、単位光学要素７７へ一側面７７ｂ１を透過して入射し、当該単位光学要素７７の他側面７７ｂ２で全反射する。一方、第２光源２４ｂからの第２光成分は、単位光学要素７７へ他側面７７ｂ２を透過して入射し、当該単位光学要素７７の一側面７７ｂ１で全反射する。したがって、図１１に示すように、第１光成分の光軸（最も高い光度を呈する方向）ＬＤ１は、他側面７７ｂ２の傾斜角度によって調節することができ、第２光成分の光軸（最も高い光度を呈する方向）ＬＤ２は、一側面７７ｂ１の傾斜角度によって調節することができる。
【０１２７】
そして、図１１に示された光制御シート６０では、複数の単位光学要素７７の間で、一側面７７ｂ１の傾斜角度は同一ではなく、同様に、複数の単位光学要素７７の間で、他側面７７ｂ２の傾斜角度も同一ではない。その一方で、上述したように、導光板３０の出光面３１から出射する第１光成分の出射方向は、第１方向に沿った出射位置に寄らず一定の強い指向性を持ち、同様に、導光板３０の出光面３１から出射する第２光成分の出射方向は、第１方向に沿った出射位置に寄らず一定の強い指向性を持つ。この結果、第１光成分に起因した発光面２１上での輝度の角度分布において最高輝度をもたらすピーク角度は、発光面２１上の第１方向に沿った各位置において、変化し、同様に、第２光成分に起因した発光面２１上での輝度の角度分布において最高輝度をもたらすピーク角度は、発光面２１上の第１方向に沿った各位置において、変化するようになる。
【０１２８】
なお、正面方向を０°として、正面方向から第１方向における一側に向けて傾斜した場合の角度が負の値となり、正面方向から第１方向における他側に向けて傾斜した場合の角度が正の値となるように定義して、正面方向および第１方向を含む面内での輝度の角度分布を、導光板３０の出光面３１上のうちの第１方向における中央となる中央位置で測定した場合に、第１光源２４ａで発光された第１光成分に起因した導光板３０の出光面３１上での輝度の角度分布における最高輝度をもたらすピーク角度が、６５°以上８０°以下であることが好ましい。同様に、正面方向を０°として、正面方向から第１方向における一側に向けて傾斜した場合の角度が負の値となり、正面方向から第１方向における他側に向けて傾斜した場合の角度が正の値となるように定義して、正面方向および第１方向を含む面内での輝度の角度分布を、導光板３０の出光面３１上のうちの第１方向における中央となる中央位置で測定した場合に、第２光源２５ｂで発光された第２光成分に起因した導光板３０の出光面３１上での輝度の角度分布における最高輝度をもたらすピーク角度が、−８０°以上−６５°以下であることが好ましい。最高輝度をもたらすピーク角度がこの範囲に設定されている場合、導光板３０の出光面３１から出射する第１光成分の出射方向は、第１方向に沿った出射位置に寄らず一定の強い指向性を持ち、同様に、導光板３０の出光面３１から出射する第２光成分の出射方向は、第１方向に沿った出射位置に寄らず一定の強い指向性を持つようになる。これにより、以下に説明する図１１の光制御シート６０との組み合わせにおいて、上述した式（６）および式（７）が安定して満たされるようになる。
【０１２９】
図示された例では、ある一つの単位光学要素７７の他側面７７ｂ２は、当該単位光学要素７７よりも第１方向において他側に位置する単位光学要素７７の他側面７７ｂ２と同一の傾斜角度で正面方向から傾斜し、或いは、当該単位光学要素７７よりも第１方向において他側に位置する単位光学要素７７の他側面７７ｂ２よりも正面方向から大きく傾斜している。言い換えると、単位光学要素７７の他側面７７ｂ２は、当該単位光学要素７７よりも第１方向において他側に位置する単位光学要素７７の他側面７７ｂ２よりも立ち上がっていない。これにより、上述した式（６）が満たされるようになる。さらには、単位光学要素７７の他側面７７ｂ２は、単位光学要素７４の配置位置が第１方向に沿って他側から一側に向かうにつれて、しだいに倒れ込んでいく。この結果は、第１光成分に起因した輝度の角度分布におけるピーク角度は、輝度の角度分布の計測位置が第１方向に沿って一側から他側に向かうにつれて、しだいに小さくなっていく。
【０１３０】
同様に、図示された例では、ある一つの単位光学要素７７の一側面７７ｂ１は、当該単位光学要素７７よりも第１方向において一側に位置する単位光学要素７７の一側面７７ｂ１と同一の傾斜角度で正面方向から傾斜し、或いは、当該単位光学要素７７よりも第１方向において一側に位置する単位光学要素７７の一側面７７ｂ１よりも正面方向から大きく傾斜している。言い換えると、単位光学要素７７の一側面７７ｂ１は、当該単位光学要素７７よりも第１方向において一側に位置する単位光学要素７７の一側面７７ｂ１よりも立ち上がっていない。このため、上述した式（７）が満たされる。さらには、単位光学要素７７の一側面７７ｂ１は、単位光学要素７４の配置位置が第１方向に沿って一側から他側に向かうにつれて、しだいに倒れ込んでいく。この結果は、第２光成分に起因した輝度の角度分布におけるピーク角度は、輝度の角度分布の計測位置が第１方向に沿って一側から他側に向かうにつれて、しだいに小さくなっていく。
【０１３１】
このようにして、式（６）および式（７）とともに、式（１）が満たされる場合、上述した有用な作用効果が奏されるだけでなく、発光面２１上の第１方向に沿った各位置で計測される輝度の角度分布における半値角を小さくすることができる。例えば表示装置１０の表示面１１が大きいことから、観察角度が或る程度狭い範囲となる傾向がある場合には、光源２４ａ，２４ｂからの光の有効利用を図りながら、すなわち、観察方向となり得ない方向に映像光を出射させることを効果的に抑制しながら、式（１）が満たされることに起因した有用な作用効果を奏することができる。また、図１２〜図１５に示すように、第１方向に沿った各位置において、第１光成分に起因した輝度の角度分布と第２光成分に起因した輝度の角度分布とが同様のピーク角度を持つ場合、常に、観察者が視認する光は、例えば、観察者によって観察される映像を表示面１１上に形成する光は、第１光成分および第２光成分の両方を、ある程度以上の量で、含むようになる。したがって、色分裂等の不具合を効果的に防止して、色再現性を改善することができる。
【０１３２】
なお、図１１〜図１４に示す変形例においては、輝度の角度分布における半値角を十分な範囲とするため、正面方向を０°として、正面方向から第１方向における一側に向けて傾斜した場合の角度が負の値となり、正面方向から第１方向における他側に向けて傾斜した場合の角度が正の値となるように定義して、正面方向および第１方向を含む面内での輝度の角度分布を発光面２１上の中央位置Ｐｃで測定した場合に、第１光源２４ａで発光された第１光成分に起因した輝度の角度分布における最高輝度をもたらすピーク角度θｃ１は、−５°以上５°以下であることが好ましい。同様に、正面方向を０°として、正面方向から第１方向における一側に向けて傾斜した場合の角度が負の値となり、正面方向から第１方向における他側に向けて傾斜した場合の角度が正の値となるように定義して、正面方向および第１方向を含む面内での輝度の角度分布を発光面２１上の中央位置Ｐｃで測定した場合に、第２光源２４ｂで発光された第２光成分に起因した輝度の角度分布における最高輝度をもたらすピーク角度θｃ２は、−５°以上５°以下であることが好ましい。
【０１３３】
また、上述した実施の形態においては、導光板３０の第１方向に対向する一対の側面が、それぞれ、第１入光面３３および第２入光面３４と機能し、第１入光面３３および第２入光面３４にそれぞれ対応して、第１光源２４ａおよび第２光源２４ｂが設けられる例を示した。しかしながら、第１光源２４ａおよび第２光源２４ｂのいずれか一方を省略してもよい。図１５に示された例では、導光板３０の第１方向に対向する一対の側面のうちの一つが入光面３３をなし、第２光源２４ｂは設けられていない。その一方で、図１５に示された例においては、図１１と同様の光制御シート６０が設けられており、この結果、上述した式（６）および式（１）が満たされ得る。なお、第１方向に沿った第１光成分の光量分布は、導光板３０の構成によって、或る程度均一化することができる。
【０１３４】
図１１および図１５に示された例において、光制御シートの寸法等は、図９および図１０に示された変形例と同様にすることができる。また、図１１および図１５に示された変形例においても、出光面での輝度特性が、上述した実施の形態と同様に設定されることにより同様の作用効果を得ることができる。例えば、発光面２１上の第１端部位置Ｐｅ１での正面方向および第１方向の両方向に沿った面内における輝度の角度分布において最高輝度をもたらすピーク角度θａと、発光面２１上の第２端部位置Ｐｅ２での正面方向および第１方向の両方向に沿った面内における輝度の角度分布において最高輝度をもたらすピーク角度θｂが、それぞれ、上述した式（２）および式（３）を満たすことが好ましい。さらに、上述した式（４）および式（５）が満たされることが好ましい。
【０１３５】
なお、図９、図１０、図１１および図１５に示された光制御シート６０の出光側面に光拡散シート８０を接着してもよい。また、図９、図１０、図１１および図１５に示された光制御シート６０の出光面６０ａに光拡散機能を付与し、あるいは、光制御シート６０の本体部６５に光拡散機能を付与してもよい。一例として、出光面６０ａを粗面化したり、本体部６５内に拡散成分を分散させたりして、光制御シート６０に光拡散機能を付与することができる。光制御シート６０に光拡散機能が付与される場合には、光拡散シート８０を省略してもよい。また、後述するように、反射型の偏光分離フィルム（例えば、米国３Ｍ社製のＤＢＥＦ）を面光源装置２０に組み込む場合には、図９、図１０、図１１および図１０に示された光制御シート６０の出光面６０ａに当該反射型の偏光分離フィルムを接着してもよい。
【０１３６】
また、図９、図１０、図１１および図１５に示された光制御シート６０が面光源装置２０の最出光側に配置される場合には、図９、図１０、図１１および図１０に示された光制御シート６０を表示パネル１５に、一例として接着することにより（粘着させることにより）、一体化させるようにしてもよい。この場合、光制御シート６０の表示パネル１５に接着されている面の一部または全面が、面光源装置２０の発光面２１をなす。
【０１３７】
さらに、上述した導光板３０の構成は、例示に過ぎず、種々の変更が可能である。一例として、導光板３０の単位光学要素５０，７０，９０の断面形状が、三角形以外の多角形や楕円の一部分に相当する形状等となっていてもよい。
【０１３８】
さらに、上述した実施の形態において、導光板３０の基部４０内に拡散成分４５を分散させることによって、導光板３０に入射した光が導光板３０から出射し得るようにした例を示したが、この例に限られない。例えば、拡散成分４５を内添する構成に加えて或いは拡散成分４５を内添する構成に代えて、導光板３０の裏面３２を傾斜面として構成してもよい。
【０１３９】
さらに、上述した実施の形態において、光源２４ａ，２４ｂが、導光板３０の入光面３３，３４の長手方向（第１方向）に沿って並べて配置された複数の点状発光体（ＬＥＤ）２５から構成される例を示したが、これに限られず、エッジライト型の面光源装置に用いられ得る種々の光源、例えば、導光板３０の入光面３３，３４の長手方向と平行に延びるように配置された冷陰極管から、光源２４ａ，２４ｂが構成されてもよい。
【０１４０】
さらに、上述した面光源装置２０および表示装置１０の構成は、単なる例示に過ぎず、種々の変更が可能である。例えば、透過光を拡散させる機能を有した光拡散シート８０を省いてもよいし、特定の偏光成分のみを透過し、それ以外の偏光成分を反射する偏光分離機能を有した反射型の偏光分離シート等を、追加して設けるようにしてもよい。
【０１４１】
なお、以上において、上述した実施の形態に対するいくつかの変形例を説明してきたが、当然に、複数の変形例を適宜組み合わせて適用することも可能である。
【符号の説明】
【０１４２】
１０  表示装置
１１  表示面
１２  液晶層
１３  上偏光板
１４  下偏光板
１５  液晶表示パネル
１８  制御装置
２０  面光源装置
２１  発光面
２４ａ，２４ｂ  光源
２５  発光体
２８  反射シート
３０  導光板
３１  出光面
３２  裏面
３３  入光面、第１入光面
３４  入光面、第２入光面
３７，３８  傾斜面
４０  基部
４１  一側面、出光側面
４２  他側面、入光側面
４４  主部
４５  拡散成分
５０  単位光学要素、単位形状要素、単位プリズム、単位レンズ
６０  光制御シート
６５  本体部
６５ａ  出光側面
６５ｂ  入光側面
７０，７５，７７  単位光学要素、単位形状要素、単位プリズム、単位レンズ
８０  光拡散シート
【図１】
0005803320.tif 000002
【図２】
0005803320.tif 000003
【図３】
0005803320.tif 000004
【図４】
0005803320.tif 000005
【図５】
0005803320.tif 000006
【図６】
0005803320.tif 000007
【図７】
0005803320.tif 000008
【図８】
0005803320.tif 000009
【図９】
0005803320.tif 000010
【図１０】
0005803320.tif 000011
【図１１】
0005803320.tif 000012
【図１２】
0005803320.tif 000013
【図１３】
0005803320.tif 000014
【図１４】
0005803320.tif 000015
【図１５】
0005803320.tif 000016
【図１６】
0005803320.tif 000017
【図１７】
0005803320.tif 000018
【図１８】
0005803320.tif 000019